(57)【要約】【課題】本発明は、興趣を向上可能な遊技台を提供することを目的とする。【解決手段】パチンコ機１００は、所定の演出動作を行う左上扉２４６ａ、左下扉２４６ｃと、左上扉２４６ａ、左下扉２４６ｃをそれぞれ動作させる駆動手段と、当該駆動手段を制御する駆動制御手段とを備えた遊技台であって、１つの光センサ７２０と、左上扉２４６ａ、左下扉２４６ｃの各々に遮光板７３０ａ、７３０ｃとを備え、駆動制御手段は、１つの光センサ７２０による複数の遮光板７３０ａ、７３０ｃの検知に基づき左上扉２４６ａ、左下扉２４６ｃを所定位置に制御する。【選択図】図１
2012085741.tif 000002
【特許請求の範囲】
【請求項１】
所定の演出動作を行う複数の可動体と、
前記複数の可動体を動作させる駆動手段と、
前記駆動手段を制御する駆動制御手段とを備えた遊技台であって、
一の検知手段と、前記複数の可動体の各々に被検知手段とを備え、
前記駆動制御手段は、前記一の検知手段による前記複数の被検知手段の検知に基づき前記複数の可動体を所定位置に制御すること
を特徴とする遊技台。
【請求項２】
請求項１に記載の遊技台であって、
前記可動体の動作パターンとして、前記検知手段による前記被検知手段の検知順序が定められている前記可動体の複数の動作パターンから一の動作パターンを決定する動作パターン決定手段を備え、
前記駆動制御手段は、前記検知順序に基づき前記複数の可動体を前記所定位置に制御すること
を特徴とする遊技台。
【請求項３】
請求項２に記載の遊技台であって、
前記可動体の動作パターンは、前記複数の可動体のうち一の可動体のみ動作を行う第一の動作パターンを含んで構成されており、
前記駆動制御手段は、前記検知手段による前記被検知手段の検知を契機に前記第一の動作パターンで動作する前記可動体の前記所定位置までの動作量を設定し、当該動作量に基づいて前記可動体を前記所定位置に制御すること
を特徴とする遊技台。
【請求項４】
請求項２または３に記載の遊技台であって、
前記可動体の動作パターンは、前記複数の可動体が相対的な位置関係を保持した状態で動作を行う第二の動作パターンを含んで構成されており、
前記駆動制御手段は、前記動作パターン決定手段が前記第二の動作パターンを決定した場合には、前記検知手段による前記被検知手段の検知を契機に、前記複数の可動体における前記所定位置までの動作量となる第一の動作量を設定するとともに、当該第一の動作量と、前記検知順序により特定される次の被検知手段が前記検知手段に検知されるまでの動作量となる第二の動作量に基づいて複数の可動体を前記所定位置に制御すること
を特徴とする遊技台。
【請求項５】
請求項４に記載の遊技台であって、
前記第二の動作パターンでは、前記複数の可動体における動作の前端縁が連続することで前記相対的な位置関係が保持されること
を特徴とする遊技台。
【請求項６】
請求項４または５に記載の遊技台であって、
前記駆動制御手段は、前記第二の動作量の駆動制御が終了した状態で前記検知手段が被検知手段を検知しない場合には、当該被検知手段に特定される前記可動体の補正動作制御を行うこと
を特徴とする遊技台。
【請求項７】
請求項６に記載の遊技台であって、
前記駆動制御手段は、前記第二の動作量の制御中に、前記検知手段が当該第二の動作量の制御終了時に検出されるべき被検知手段を検出した場合には、検出した前記被検知手段に対応する可動体の前記所定位置までの動作量となる第三の動作量を設定し、当該第三の動作量に基づいて当該可動体を前記所定位置に補正動作制御すること
を特徴とする遊技台。
【請求項８】
請求項６または７に記載の遊技台であって、
前記駆動制御手段は、前記第二の動作量の駆動制御を終了するまでの間、前記検知手段が被検知手段を検知しない場合には、被検知手段を検知するまで駆動制御を継続し、前記非検出手段の検出を契機に当該被検知手段に対応する可動体の前記第三の動作量を設定し、当該第三の動作量に基づいて当該可動体を前記所定位置に補正動作制御すること
を特徴とする遊技台。
【請求項９】
請求項４乃至８のいずれか１項に記載の遊技台であって、
電源投入時において前記駆動制御手段は、前記複数の可動体を前記第一の動作量よりも大きくなる第四の動作量分、前記所定位置から離間する方向へ駆動制御した後、予め定めた順序で前記複数の可動体を前記所定位置に近づく方向へ制御し、前記被検知手段の検知毎に前記所定位置までの動作量を設定し、前記動作量に基づいて複数の可動体を前記所定位置に制御すること
を特徴とする遊技台。
【請求項１０】
所定の演出動作を行う複数の可動体と、
前記複数の可動体を動作させる駆動手段と、
前記駆動手段を制御する駆動制御手段とを備えた遊技台であって、
一の検知手段と複数の被検知手段とを備え、
前記駆動制御手段は、前記一の検知手段による前記複数の被検知手段の検知に基づき前記可動体を所定位置に制御することを特徴とする遊技台。
【発明の詳細な説明】
【技術分野】
【０００１】
本発明は、パチンコ機等に代表される遊技台に関する。
【背景技術】
【０００２】
近年の遊技台では、興趣の向上を図る演出が実施されている。
【先行技術文献】
【特許文献】
【０００３】
【特許文献１】特開２００８−２００３０２号公報
【発明の概要】
【発明が解決しようとする課題】
【０００４】
しかしながら、従来の遊技台の演出では、興趣の向上効果が十分でないという問題があった。
【０００５】
本発明の目的は、興趣を向上可能な遊技台を提供することにある。
【課題を解決するための手段】
【０００６】
上記目的は、所定の演出動作を行う複数の可動体と、前記複数の可動体を動作させる駆動手段と、前記駆動手段を制御する駆動制御手段とを備えた遊技台であって、一の検知手段と、前記複数の可動体の各々に被検知手段とを備え、前記駆動制御手段は、前記一の検知手段による前記複数の被検知手段の検知に基づき前記複数の可動体を所定位置に制御することを特徴とする遊技台によって達成される。
【発明の効果】
【０００７】
本発明によれば、興趣を向上可能な遊技台を提供できる。
【図面の簡単な説明】
【０００８】
【図１】本発明の一実施の形態によるパチンコ機１００を正面側（遊技者側）から見た外観斜視図である。
【図２】本発明の一実施の形態によるパチンコ機１００を背面側から見た外観図である。
【図３】本発明の一実施の形態によるパチンコ機１００の遊技盤２００を正面から見た略示正面図である。
【図４】本発明の一実施の形態によるパチンコ機１００の遮蔽装置２４６の概略構造を示す正面図である。
【図５】本発明の一実施の形態によるパチンコ機１００の遮蔽装置２４６を背面側から見た模式的な斜視図である。
【図６】本発明の一実施の形態によるパチンコ機１００の制御部の回路ブロック図である。
【図７】本発明の一実施の形態によるパチンコ機１００での表示図柄の一例であって、（ａ）は、特図の停止表示図柄の一例を示し、（ｂ）は装飾図柄の一例を示し、（ｃ）は普図の停止表示図柄の一例を示す図である。
【図８】本発明の一実施の形態によるパチンコ機１００の主制御部メイン処理の流れを示すフローチャートである。
【図９】本発明の一実施の形態によるパチンコ機１００の主制御部タイマ割込処理の流れを示すフローチャートである。
【図１０】本発明の一実施の形態によるパチンコ機１００の第１副制御部４００での処理の流れを示すフローチャートであり、（ａ）は第１副制御部メイン処理の流れを示し、（ｂ）は第１副制御部コマンド受信割込処理の流れを示し、（ｃ）は第１副制御部タイマ割込処理の流れを示している。
【図１１】本発明の一実施の形態によるパチンコ機１００の第２副制御部５００での処理の流れを示すフローチャートであり、（ａ）は第２副制御部メイン処理の流れを示し、（ｂ）は第２副制御部コマンド受信割込処理の流れを示し、（ｃ）は第２副制御部タイマ割込処理の流れを示している。
【図１２】本発明の一実施の形態によるパチンコ機１００における動作モードフラグ設定処理の流れの一例を示すフローチャートである。
【図１３】本発明の一実施の形態によるパチンコ機１００における予告コマンドと動作モードとの対応の一例を示すテーブルである。
【図１４】本発明の一実施の形態によるパチンコ機１００における動作データ１〜３の内容を示すテーブルである。
【図１５】本発明の一実施の形態によるパチンコ機１００におけるモータ動作モード設定処理の流れの一例を示すフローチャートである。
【図１６】本発明の一実施の形態によるパチンコ機１００におけるモータドライバＩＣ出力処理の流れの一例を示すフローチャートである。
【図１７】本発明の一実施の形態によるパチンコ機１００における動作モード別処理（モード１）の流れの一例を示すフローチャートである。
【図１８】本発明の一実施の形態によるパチンコ機１００における動作モード別処理（モード２）の流れの一例を示すフローチャートである。
【図１９】本発明の一実施の形態によるパチンコ機１００における動作モード別処理（モード３）の流れの一例を示すフローチャートである。
【図２０】本発明の一実施の形態によるパチンコ機１００における動作モード別処理（モード４）の流れの一例を示すフローチャートである。
【図２１】本発明の一実施の形態によるパチンコ機１００において、動作モード１での遮蔽装置２４６の動作の例を時系列で示す図である。
【図２２】図２１の右上扉２４６ｂおよび右下扉２４６ｄを背面側から見た状態を拡大して示す図である。
【図２３】本発明の一実施の形態によるパチンコ機１００において、動作モード４での遮蔽装置２４６の動作の例を時系列で示す図である。
【図２４】図２３の右上扉２４６ｂおよび右下扉２４６ｄを背面側から見た状態を拡大して示す図である。
【図２５】本発明の一実施の形態によるパチンコ機１００における複数の可動体の変形例を示す図である。
【発明を実施するための形態】
【０００９】
以下、図面を用いて、本発明の一実施の形態に係る遊技台（例えば、パチンコ機１００等の弾球遊技機やスロットマシン等の回胴遊技機）について詳細に説明する。まず、図１を用いて、本実施の形態に係るパチンコ機１００の全体構成について説明する。なお、同図はパチンコ機１００を正面側（遊技者側）から見た外観斜視図である。パチンコ機１００は、外部的構造として、外枠１０２と、本体１０４と、前面枠扉１０６と、球貯留皿付扉１０８と、発射装置１１０と、遊技盤２００と、をその前面に備える。
【００１０】
外枠１０２は、遊技機設置営業店に設けられた設置場所（島設備等）へと固定させるための縦長方形状からなる木製の枠部材である。本体１０４は、内枠と呼ばれ、外枠１０２の内部に備えられ、ヒンジ部１１２を介して外枠１０２に回動自在に装着された縦長方形状の遊技機基軸体となる部材である。また、本体１０４は、枠状に形成され、内側に空間部１１４を有している。また、本体１０４が開放された場合、本体１０４の開放を検出する不図示の内枠開放センサを備える。
【００１１】
前面枠扉１０６は、ロック機能付きでかつ開閉自在となるようにパチンコ機１００の前面側となる本体１０４の前面に対しヒンジ部１１２を介して装着され、枠状に構成されることでその内側を開口部１１６とした扉部材である。なお、前面枠扉１０６には、開口部１１６にガラス製または樹脂製の透明板部材１１８が設けられ、前面側には、スピーカ１２０や枠ランプ１２２が取り付けられている。前面枠扉１０６の後面と遊技盤２００の前面とで遊技領域１２４を区画形成する。また、前面枠扉１０６が開放された場合、前面枠扉１０６の開放を検出する不図示の前面枠扉開放センサを備える。
【００１２】
球貯留皿付扉１０８は、パチンコ機１００の前面において本体１０４の下側に対して、ロック機能付きでかつ開閉自在となるように装着された扉部材である。球貯留皿付扉１０８は、複数の遊技球（以下、単に「球」と称する場合がある）が貯留可能でかつ発射装置１１０へと遊技球を案内させる通路が設けられている上皿１２６と、上皿１２６に貯留しきれない遊技球を貯留する下皿１２８と、遊技者の操作によって上皿１２６に貯留された遊技球を下皿１２８へと排出させる球抜ボタン１３０と、遊技者の操作によって下皿１２８に貯留された遊技球を遊技球収集容器（俗称、ドル箱）へと排出させる球排出レバー１３２と、遊技者の操作によって発射装置１１０へと案内された遊技球を遊技盤２００の遊技領域１２４へと打ち出す球発射ハンドル１３４と、遊技者の操作によって各種演出装置２０６（図１では図示せず）の演出態様に変化を与えるチャンスボタン１３６と、チャンスボタン１３６を発光させるチャンスボタンランプ１３８と、遊技店に設置されたカードユニット（ＣＲユニット）に対して球貸し指示を行う球貸操作ボタン１４０と、カードユニットに対して遊技者の残高の返却指示を行う返却操作ボタン１４２と、遊技者の残高やカードユニットの状態を表示する球貸表示部１４４と、を備える。また、下皿１２８が満タンであることを検出する不図示の下皿満タンセンサを備える。
【００１３】
発射装置１１０は、本体１０４の下方に取り付けられ、球発射ハンドル１３４が遊技者に操作されることによって回動する発射杆１４６と、遊技球を発射杆１４６の先端で打突する発射槌１４８と、を備える。
【００１４】
遊技盤２００は、前面に遊技領域１２４を有し、本体１０４の空間部１１４に臨むように、所定の固定部材を用いて本体１０４に着脱自在に装着されている。なお、遊技領域１２４は、遊技盤２００を本体１０４に装着した後、開口部１１６から観察することができる。
【００１５】
図２は、図１のパチンコ機１００を背面側から見た外観斜視図である。パチンコ機１００の背面上部には、上方に開口した開口部を有し、遊技球を一時的に貯留するための球タンク１５０と、球タンク１５０の下方に位置し、球タンク１５０の底部に形成した連通孔を通過して落下する球を背面右側に位置する払出装置１５２に導くためのタンクレール１５４とを配設している。
【００１６】
払出装置１５２は、筒状の部材からなり、その内部には、不図示の払出モータとスプロケットと払出センサとを備えている。スプロケットは、払出モータによって回転可能に構成されており、タンクレール１５４を通過して払出装置１５２内に流下した遊技球を一時的に滞留させるとともに、払出モータを駆動して所定角度だけ回転することにより、一時的に滞留した遊技球を払出装置１５２の下方へ１個ずつ送り出すように構成している。
【００１７】
払出センサは、スプロケットが送り出した遊技球の通過を検知するためのセンサであり、遊技球が通過しているときにハイまたはローのいずれか一方の信号を、遊技球が通過していないときはハイまたはローのいずれか他方の信号を払出制御部６００（図２では図示せず）へ出力する。なお、この払出センサを通過した遊技球は、不図示の球レールを通過してパチンコ機１００の表側に配設した上皿１２６に到達するように構成しており、パチンコ機１００は、この構成により遊技者に対して球の払出しを行う。
【００１８】
払出装置１５２の図中左側には、遊技全般の制御処理を行う主制御部３００を構成する主基板１５６を収納する主基板ケース１５８と、主制御部３００が生成した処理情報に基づいて演出に関する制御処理を行う第１副制御部４００を構成する第１副基板１６０を収納する第１副基板ケース１６２と、第１副制御部４００が生成した処理情報に基づいて演出に関する制御処理を行う第２副制御部５００を構成する第２副基板１６４を収納する第２副基板ケース１６６と、遊技球の払出しに関する制御処理を行う払出制御部６００を構成するとともに遊技店員の操作によってエラーを解除するエラー解除スイッチ１６８を備える払出基板１７０を収納する払出基板ケース１７２と、遊技球の発射に関する制御処理を行う発射制御部６３０を構成する発射基板１７４を収納する発射基板ケース１７６と、各種電気的遊技機器に電源を供給する電源制御部６６０を構成するとともに遊技店員の操作によって電源をオンオフする電源スイッチ１７８と電源投入時に操作されることによってＲＷＭクリア信号を主制御部３００に出力するＲＷＭクリアスイッチ１８０とを備える電源基板１８２を収納する電源基板ケース１８４と、払出制御部６００とカードユニットとの信号の送受信を行うＣＲインターフェース部１８６と、を配設している。
【００１９】
図３は、遊技盤２００を正面から見た略示正面図である。遊技盤２００には、外レール２０２と内レール２０４とを配設し、遊技球が転動可能な遊技領域１２４を区画形成している。遊技領域１２４の略中央には、演出装置２０６を配設している。演出装置２０６には、略中央に装飾図柄表示装置２０８を配設し、その周囲に、第１特別図柄表示装置２１２と、第２特別図柄表示装置２１４と、普通図柄表示装置２１０と、第１特別図柄保留ランプ２１８と、第２特別図柄保留ランプ２２０と、普通図柄保留ランプ２１６と、高確中ランプ２２２とを配設している。演出装置２０６は、演出可動体２２４を動作して演出を行うものであり、詳細については後述する。なお、以下、普通図柄を「普図」、特別図柄を「特図」、第１特別図柄を「特図１」、第２特別図柄を「特図２」と称する場合がある。
【００２０】
装飾図柄表示装置２０８は、装飾図柄ならびに演出に用いる様々な表示を行うための表示装置であり、本実施の形態では液晶表示装置（Ｌｉｑｕｉｄ  Ｃｒｙｓｔａｌ  Ｄｉｓｐｌａｙ）によって構成する。装飾図柄表示装置２０８は、左図柄表示領域２０８ａ、中図柄表示領域２０８ｂ、右図柄表示領域２０８ｃおよび演出表示領域２０８ｄの４つの表示領域に分割し、左図柄表示領域２０８ａ、中図柄表示領域２０８ｂおよび右図柄表示領域２０８ｃはそれぞれ異なった装飾図柄を表示し（図中、装飾図柄の変動を下向きの白抜き太矢印で表している）、演出表示領域２０８ｄは演出に用いる画像を表示する。さらに、各表示領域２０８ａ、２０８ｂ、２０８ｃ、２０８ｄの位置や大きさは、装飾図柄表示装置２０８の表示画面内で自由に変更することを可能としている。なお、装飾図柄表示装置２０８として液晶表示装置を採用しているが、液晶表示装置でなくとも、種々の演出や種々の遊技情報を表示可能に構成されていればよく、例えば、ドットマトリクス表示装置、７セグメント表示装置、有機ＥＬ（ＥｌｅｃｔｒｏＬｕｍｉｎｅｓｃｅｎｃｅ）表示装置、リール（ドラム）式表示装置、リーフ式表示装置、プラズマディスプレイ、プロジェクタを含む他の表示デバイスを採用してもよい。
【００２１】
普図表示装置２１０は、普図の表示を行うための表示装置であり、本実施の形態では７セグメントＬＥＤによって構成する。特図１表示装置２１２および特図２表示装置２１４は、特図の表示を行うための表示装置であり、本実施の形態では７セグメントＬＥＤによって構成する。
【００２２】
普図保留ランプ２１６は、保留している普図変動遊技（詳細は後述）の数を示すためのランプであり、本実施の形態では、普図変動遊技を所定数（例えば、２つ）まで保留することを可能としている。特図１保留ランプ２１８および特図２保留ランプ２２０は、保留している特図変動遊技（詳細は後述）の数を示すためのランプであり、本実施の形態では、特図変動遊技を所定数（例えば、４つ）まで保留することを可能としている。高確中ランプ２２２は、遊技状態が大当りが発生し易い高確率状態であること、または高確率状態になることを示すためのランプであり、遊技状態を大当りが発生し難い低確率状態から高確率状態にする場合に点灯し、高確率状態から低確率状態にする場合に消灯する。
【００２３】
また、演出装置２０６の周囲には、所定の球進入口、例えば、一般入賞口２２６と、普図始動口２２８と、特図１始動口２３０と、特図２始動口２３２と、可変入賞口２３４を配設している。
【００２４】
一般入賞口２２６は、本実施の形態では遊技盤２００に複数配設しており、一般入賞口２２６への入球を所定の球検出センサ（図示省略）が検出した場合（一般入賞口２２６に入賞した場合）、払出装置１５２を駆動し、所定の個数（例えば、１０個）の球を賞球として上皿１２６に排出する。上皿１２６に排出した球は遊技者が自由に取り出すことが可能であり、これらの構成により、入賞に基づいて賞球を遊技者に払い出すようにしている。なお、一般入賞口２２６に入球した球は、パチンコ機１００の裏側に誘導した後、遊技島側に排出する。本実施の形態では、入賞の対価として遊技者に払い出す球を「賞球」、遊技者に貸し出す球を「貸球」と区別して呼ぶ場合があり、「賞球」と「貸球」を総称して「球（遊技球）」と呼ぶ。
【００２５】
普図始動口２２８は、ゲートやスルーチャッカーと呼ばれる、遊技領域１２４の所定の領域を球が通過したか否かを判定するための装置で構成しており、本実施の形態では遊技盤２００の左側に１つ配設している。普図始動口２２８を通過した球は一般入賞口２２６に入球した球と違って、遊技島側に排出することはない。球が普図始動口２２８を通過したことを所定の球検出センサが検出した場合、パチンコ機１００は、普図表示装置２１０による普図変動遊技を開始する。
【００２６】
特図１始動口２３０は、本実施の形態では遊技盤２００の中央に１つだけ配設している。特図１始動口２３０への入球を所定の球検出センサが検出した場合、払出装置１５２を駆動し、所定の個数（例えば、３個）の球を賞球として上皿１２６に排出するとともに、特図１表示装置２１２による特図変動遊技を開始する。なお、特図１始動口２３０に入球した球は、パチンコ機１００の裏側に誘導した後、遊技島側に排出する。
【００２７】
特図２始動口２３２は、電動チューリップ（電チュー）と呼ばれ、本実施の形態では特図１始動口２３０の真下に１つだけ配設している。特図２始動口２３２は、左右に開閉自在な一対の羽根部材２３２ａを備え、羽根部材２３２ａの閉鎖中は球の入球が不可能であり、普図変動遊技に当選し、普図表示装置２１０が当り図柄を停止表示した場合に羽根部材２３２ａが所定の時間間隔、所定の回数で開閉する。特図２始動口２３２への入球を所定の球検出センサが検出した場合、払出装置１５２を駆動し、所定の個数（例えば、４個）の球を賞球として上皿１２６に排出するとともに、特図２表示装置２１４による特図変動遊技を開始する。なお、特図２始動口２３２に入球した球は、パチンコ機１００の裏側に誘導した後、遊技島側に排出する。
【００２８】
可変入賞口２３４は、大入賞口またはアタッカと呼ばれ、本実施の形態では遊技盤２００の中央部下方に１つだけ配設している。可変入賞口２３４は、開閉自在な扉部材２３４ａを備え、扉部材２３４ａの閉鎖中は球の入球が不可能であり、特図変動遊技に当選して特図表示装置が大当り図柄を停止表示した場合に扉部材２３４ａが所定の時間間隔（例えば、開放時間２９秒、閉鎖時間１．５秒）、所定の回数（例えば１５回）で開閉する。可変入賞口２３４への入球を所定の球検出センサが検出した場合、払出装置１５２を駆動し、所定の個数（例えば、１５個）の球を賞球として上皿１２６に排出する。なお、可変入賞口２３４に入球した球は、パチンコ機１００の裏側に誘導した後、遊技島側に排出する。
【００２９】
さらに、これらの入賞口や始動口の近傍には、風車と呼ばれる円盤状の打球方向変換部材２３６や、遊技釘２３８を複数個、配設しているとともに、内レール２０４の最下部には、いずれの入賞口や始動口にも入賞しなかった球をパチンコ機１００の裏側に誘導した後、遊技島側に排出するためのアウト口２４０を設けている。
【００３０】
パチンコ機１００は、遊技者が上皿１２６に貯留している球を発射レールの発射位置に供給し、遊技者の操作ハンドルの操作量に応じた強度で発射モータを駆動し、発射杆１４６および発射槌１４８によって外レール２０２、内レール２０４を通過させて遊技領域１２４に打ち出す。そして、遊技領域１２４の上部に到達した球は、打球方向変換部材２３６や遊技釘２３８等によって進行方向を変えながら下方に落下し、入賞口（一般入賞口２２６、可変入賞口２３４）や始動口（特図１始動口２３０、特図２始動口２３２）に入賞するか、いずれの入賞口や始動口にも入賞することなく、または普図始動口２２８を通過するのみでアウト口２４０に到達する。
【００３１】
次に、パチンコ機１００の演出装置２０６について説明する。演出装置２０６の前面側には、遊技球の転動可能な領域にワープ装置２４２および前面ステージ２４４を配設し、遊技球の転動不可能な領域に演出可動体２２４を配設している。また、演出装置２０６の背面側には、装飾図柄表示装置２０８および遮蔽装置２４６（以下、扉あるいはシャッタと称する場合がある）を配設している。すなわち、演出装置２０６において、装飾図柄表示装置２０８および遮蔽装置２４６は、ワープ装置２４２、前面ステージ２４４、および演出可動体２２４の後方に位置することとなる。ワープ装置２４２は、演出装置２０６の左上方に設けたワープ入口２４２ａに入った遊技球を演出装置２０６の前面下方の前面ステージ２４４にワープ出口２４２ｂから排出する。前面ステージ２４４は、ワープ出口２４２ｂから排出された球や遊技盤２００の釘などによって乗り上げた球などが転動可能であり、前面ステージ２４４の中央部には、通過した球が特図１始動口２３０へ入球し易くなるスペシャルルート２４４ａを設けている。
【００３２】
演出可動体２２４は、本実施の形態では人間の右腕の上腕と前腕を模した上腕部２２４ａと前腕部２２４ｂとからなり、肩の位置に上腕部２２４ａを回動させる不図示の上腕モータを備え、肘の位置に前腕部２２４ｂを回動させる不図示の前腕モータを備える。演出可動体２２４は、上腕モータと前腕モータによって装飾図柄表示装置２０８の前方を移動する。
【００３３】
遮蔽装置２４６は、格子状の左上扉２４６ａ、右上扉２４６ｂ、左下扉２４６ｃおよび右下扉２４６ｄを備え、装飾図柄表示装置２０８および前面ステージ２４４の間に配設される。左上扉２４６ａ、右上扉２４６ｂ、左下扉２４６ｃおよび右下扉２４６ｄは、いずれも長方形状の板状部材であり、例えば後述するベルト駆動機構によってそれぞれ独立して図中左右方向に駆動されるようになっている。以下、左上扉２４６ａおよび右上扉２４６ｂの組を上シャッタという場合があり、左下扉２４６ｃおよび右下扉２４６ｄの組を下シャッタという場合がある。
【００３４】
本例では、左上扉２４６ａが左側の可動端（初期位置）に位置する開状態では、装飾図柄表示装置２０８の表示画面の左上四半分の全体が露出し、当該表示画面の左上四半分は遊技者による視認が容易になる。一方、左上扉２４６ａが右側の可動端まで駆動された閉状態では、装飾図柄表示装置２０８の表示画面の左上四半分が遮蔽され、当該表示画面の左上四半分は遊技者による視認が困難になる。図３に示す左上扉２４６ａは、左右両側の可動端の中間位置付近に駆動されて所定開度で開いた半開状態にあり、表示画面の左上四半分のうちの左寄りの半分程度を遮蔽している。
【００３５】
同様に、右上扉２４６ｂが右側の可動端（初期位置）に位置する開状態では、装飾図柄表示装置２０８の表示画面の右上四半分の全体が露出し、当該表示画面の右上四半分は遊技者による視認が容易になる。一方、右上扉２４６ｂが左側の可動端まで駆動された閉状態では、装飾図柄表示装置２０８の表示画面の右上四半分が遮蔽され、当該表示画面の右上四半分は遊技者による視認が困難になる。図３に示す右上扉２４６ｂは閉状態にある。
【００３６】
左下扉２４６ｃが左側の可動端（初期位置）に位置する開状態では、装飾図柄表示装置２０８の表示画面の左下四半分の全体が露出し、当該表示画面の左下四半分は遊技者による視認が容易になる。一方、左下扉２４６ｃが右側の可動端まで駆動された閉状態では、装飾図柄表示装置２０８の表示画面の左下四半分が遮蔽され、当該表示画面の左下四半分は遊技者による視認が困難になる。図３に示す左下扉２４６ｃは左上扉２４６ａと同開度で開いた半開状態にある。
【００３７】
右下扉２４６ｄが右側の可動端（初期位置）に位置する開状態では、装飾図柄表示装置２０８の表示画面の右下四半分の全体が露出し、当該表示画面の右下四半分は遊技者による視認が容易になる。一方、右下扉２４６ｄが左側の可動端まで駆動された閉状態では、装飾図柄表示装置２０８の表示画面の右下四半分が遮蔽され、当該表示画面の右下四半分は遊技者による視認が困難になる。図３に示す右下扉２４６ｄは閉状態にある。
【００３８】
左上扉２４６ａ、右上扉２４６ｂ、左下扉２４６ｃおよび右下扉２４６ｄは、それぞれ任意の位置で停止可能であり、例えば、表示した装飾図柄がどの装飾図柄であるかを遊技者が識別可能な程度に、装飾図柄の一部だけを遮蔽するようなことができる。なお、左上扉２４６ａ、右上扉２４６ｂ、左下扉２４６ｃおよび右下扉２４６ｄは、格子の孔から後方の装飾図柄表示装置２０８の一部を視認可能にしてもよいし、格子の孔の障子部分を半透明のレンズ体で塞ぎ、後方の装飾図柄表示装置２０８による表示を漠然と遊技者に視認させるようにしてもよいし、格子の孔の障子部分を完全に塞ぎ（遮蔽し）、後方の装飾図柄表示装置２０８を全く視認不可にしてもよい。
【００３９】
図４は、遮蔽装置２４６の概略構造を示す正面図である。図４に示すように、遮蔽装置２４６は、装飾図柄表示装置２０８の表示画面を露出させるための開口部７１０を中央に備えたフレーム７００を有している。なお図４に示す状態では、フレーム７００の開口部７１０は、いずれも閉状態にある左上扉２４６ａ、右上扉２４６ｂ、左下扉２４６ｃおよび右下扉２４６ｄによって遮蔽されている。
【００４０】
また遮蔽装置２４６は、左上扉２４６ａを駆動する駆動手段として、所定の間隔で左右方向に離れて配置された一対のプーリ７０２ａ、７０４ａと、プーリ７０２ａ、７０４ａ間に巻き回された無端ベルト７０６ａと、無端ベルト７０６ａを走行させる不図示のステッピングモータとを備えている。プーリ７０２ａ、７０４ａは、フレーム７００のフレーム上部７００ａの前面側左寄りに配置されている。プーリ７０２ａ、７０４ａは、それぞれ回転軸を中心として回転自在にフレーム７００に取り付けられた回転体である。一方のプーリ７０２ａは、駆動プーリとしてステッピングモータの出力軸に接続されている。ステッピングモータは、フレーム上部７００ａの背面側に固定されている。左上扉２４６ａは取付部材７０８ａによって無端ベルト７０６ａに取り付けられており、無端ベルト７０６ａの走行によって左右方向に移動する。図示していないが、フレーム上部７００ａには左右方向に延伸するガイドレールが設けられている。ガイドレールは、左上扉２４６ａ上端部または取付部材７０８ａを案内して左上扉２４６ａの移動方向および移動姿勢を規制するようになっている。左上扉２４６ａの左右方向の動作範囲は例えば１０５ｍｍである。本例では、ステッピングモータが１ステップ分回転すると左上扉２４６ａが０．７ｍｍ動作するため、左上扉２４６ａの動作範囲は、ステッピングモータのステップ数で表すと１５０ステップ分である。
【００４１】
さらに遮蔽装置２４６は、右上扉２４６ｂを駆動する駆動手段として、所定の間隔で左右方向に離れて配置された一対のプーリ７０２ｂ、７０４ｂと、プーリ７０２ｂ、７０４ｂ間に巻き回された無端ベルト７０６ｂと、無端ベルト７０６ｂを走行させる不図示のステッピングモータとを備えている。プーリ７０２ｂ、７０４ｂは、フレーム上部７００ａの前面側右寄りに配置されている。プーリ７０２ｂ、７０４ｂは、それぞれ回転軸を中心として回転自在にフレーム７００に取り付けられた回転体である。一方のプーリ７０２ｂは、駆動プーリとしてステッピングモータの出力軸に接続されている。ステッピングモータは、フレーム上部７００ａの背面側に固定されている。右上扉２４６ｂは取付部材７０８ｂによって無端ベルト７０６ｂに取り付けられており、無端ベルト７０６ｂの走行によって左右方向に移動する。図示していないが、フレーム上部７００ａには左右方向に延伸するガイドレールが設けられている。ガイドレールは、右上扉２４６ｂ上端部または取付部材７０８ｂを案内して右上扉２４６ｂの移動方向および移動姿勢を規制するようになっている。右上扉２４６ｂの左右方向の動作範囲は例えば１０５ｍｍである。本例では、ステッピングモータが１ステップ分回転すると右上扉２４６ｂが０．７ｍｍ動作するため、右上扉２４６ｂの動作範囲は、ステッピングモータのステップ数で表すと左上扉２４６ａと同じ１５０ステップ分である。
【００４２】
また遮蔽装置２４６は、左下扉２４６ｃを駆動する駆動手段として、所定の間隔で左右方向に離れて配置された一対のプーリ７０２ｃ、７０４ｃと、プーリ７０２ｃ、７０４ｃ間に巻き回された無端ベルト７０６ｃと、無端ベルト７０６ｃを走行させる不図示のステッピングモータとを備えている。プーリ７０２ｃ、７０４ｃは、フレーム７００のフレーム下部７００ｂの前面側左寄りに配置されている。プーリ７０２ｃ、７０４ｃは、それぞれ回転軸を中心として回転自在にフレーム７００に取り付けられた回転体である。一方のプーリ７０２ｃは、駆動プーリとしてステッピングモータの出力軸に接続されている。ステッピングモータは、フレーム下部７００ｂの背面側に固定されている。左下扉２４６ｃは取付部材７０８ｃによって無端ベルト７０６ｃに取り付けられており、無端ベルト７０６ｃの走行によって左右方向に移動する。図示していないが、フレーム下部７００ｂには左右方向に延伸するガイドレールが設けられている。ガイドレールは、左下扉２４６ｃ上端部または取付部材７０８ｃを案内して左下扉２４６ｃの移動方向および移動姿勢を規制するようになっている。左下扉２４６ｃの左右方向の動作範囲は例えば１０５ｍｍである。本例では、ステッピングモータが１ステップ分回転すると左下扉２４６ｃが０．７ｍｍ動作するため、左下扉２４６ｃの動作範囲は、ステッピングモータのステップ数で表すと左上扉２４６ａと同じ１５０ステップ分である。
【００４３】
さらに遮蔽装置２４６は、右下扉２４６ｄを駆動する駆動手段として、所定の間隔で左右方向に離れて配置された一対のプーリ７０２ｄ、７０４ｄと、プーリ７０２ｄ、７０４ｄ間に巻き回された無端ベルト７０６ｄと、無端ベルト７０６ｄを走行させる不図示のステッピングモータとを備えている。プーリ７０２ｄ、７０４ｄは、フレーム下部７００ｂの前面側右寄りに配置されている。プーリ７０２ｄ、７０４ｄは、それぞれ回転軸を中心として回転自在にフレーム７００に取り付けられた回転体である。一方のプーリ７０２ｄは、駆動プーリとしてステッピングモータの出力軸に接続されている。ステッピングモータは、フレーム下部７００ｂの背面側に固定されている。右下扉２４６ｄは取付部材７０８ｄによって無端ベルト７０６ｄに取り付けられており、無端ベルト７０６ｄの走行によって左右方向に移動する。図示していないが、フレーム下部７００ｂには左右方向に延伸するガイドレールが設けられている。ガイドレールは、右下扉２４６ｄ上端部または取付部材７０８ｄを案内して右下扉２４６ｄの移動方向および移動姿勢を規制するようになっている。右下扉２４６ｄの左右方向の動作範囲は例えば１０５ｍｍである。本例では、ステッピングモータが１ステップ分回転すると右下扉２４６ｄが０．７ｍｍ動作するため、右下扉２４６ｄの動作範囲は、ステッピングモータのステップ数で表すと右上扉２４６ｂや左下扉２４６ｃと同じ１５０ステップ分である。
【００４４】
図５は、遮蔽装置２４６を背面側から見た模式的な斜視図である。図５に示すように、遮蔽装置２４６の開口部７１０を挟んで、正面側から見て左方（図５中の右方）には光センサ７２０が設けられており、正面側から見て右方（図５中の左方）には光センサ７２２が設けられている。光センサ７２０、７２２はそれぞれ断面コの字型の形状を有しており、光を発光する発光部をコの字の一端側に備え、発光部からの光を受光する受光部をコの字の他端側に備えている。光センサ７２０、７２２のそれぞれの発光部と受光部は、空間を介して互いに上下方向に対向している。左右方向に移動可能な検知対象物が発光部と受光部との間の空間に進入すると、発光部からの光が検知対象物により遮られて受光部での受光強度が低下する。これにより光センサ７２０、７２２は、検知対象物の存在を検知できるようになっている。
【００４５】
左上扉２４６ａの下端部の所定位置には、光センサ７２０の検知対象物として長方形平板状の遮光板７３０ａが背面側に突出して設けられている。本例では、遮光板７３０ａの左右方向の幅は７．７ｍｍ（１１ステップ分）である。本例の遮光板７３０ａは、左上扉２４６ａが初期位置（開状態）から右に５ステップまでの位置にあるときには光センサ７２０により検知され、かつ左上扉２４６ａが初期位置から右に５ステップを超えて移動すると光センサ７２０により検知されなくなる位置に設けられている。本例の遮光板７３０ａの左端は、左上扉２４６ａの左端辺２４８ａよりも１１．２ｍｍ（１６ステップ分）だけ内側（正面側から見て右側）に位置している。
【００４６】
左下扉２４６ｃの上端部の所定位置には、光センサ７２０の検知対象物として長方形平板状の遮光板７３０ｃが背面側に突出して設けられている。本例では、遮光板７３０ｃの左右方向の幅は遮光板７３０ａと同じ７．７ｍｍ（１１ステップ分）である。遮光板７３０ｃの左下扉２４６ｃに対する取付位置は、遮光板７３０ａの左上扉２４６ａに対する取付位置に対して左右方向に所定の距離だけずれている。本例の遮光板７３０ｃは、左下扉２４６ｃが初期位置から右に１０ステップまでの位置にあるときには光センサ７２０により検知されず、左下扉２４６ｃが初期位置から右に１１ステップ乃至２１ステップの位置にあるときには光センサ７２０により検知され、左下扉２４６ｃが初期位置から右に２１ステップを超えて移動すると光センサ７２０により検知されなくなる位置に設けられている。本例では、左上扉２４６ａと左下扉２４６ｃとが左右方向で同位置（例えば初期位置）にあるとき、遮光板７３０ｃは、遮光板７３０ａに対して正面側から見て１１．２ｍｍ（１６ステップ分）左側にずれた位置に設けられている。例えば、遮光板７３０ａの左端が左上扉２４６ａの左端辺２４８ａよりも１１．２ｍｍ（１６ステップ分）内側に配置されているとすると、遮光板７３０ｃの左端は、左下扉２４６ｃの左端辺２４８ｃに沿う位置に配置される。遮光板７３０ａ、７３０ｃの左右方向の幅はいずれも１１ステップ分であるため、遮光板７３０ａの左端と遮光板７３０ｃの右端との間には、左右方向に５ステップ分のクリアランスが形成される。
【００４７】
右上扉２４６ｂ、右下扉２４６ｄおよび光センサ７２２の位置関係は、左上扉２４６ａ、左下扉２４６ｃおよび光センサ７２０の位置関係と左右対称の関係にある。すなわち、右上扉２４６ｂの下端部の所定位置には、光センサ７２２の検知対象物として長方形平板状の遮光板７３０ｂが背面側に突出して設けられている。本例では、遮光板７３０ｂの左右方向の幅は７．７ｍｍ（１１ステップ分）である。本例の遮光板７３０ｂは、右上扉２４６ｂが初期位置（開状態）から左に５ステップまでの位置にあるときには光センサ７２２により検知され、かつ右上扉２４６ｂが初期位置から左に５ステップを超えて移動すると光センサ７２２により検知されなくなる位置に設けられている。遮光板７３０ｂの右端は、右上扉２４６ｂの右端辺２４８ｂよりも１１．２ｍｍ（１６ステップ分）だけ内側（正面側から見て左側）に位置している（図２２（ｂ）参照。ここで、図２２（ｂ）は右上扉２４６ｂおよび右下扉２４６ｄを背面側から見た図であり、同図内の寸法の単位はステップである）。
【００４８】
右下扉２４６ｄの上端部の所定位置には、光センサ７２２の検知対象物として長方形平板状の遮光板７３０ｄが背面側に突出して設けられている。本例では、遮光板７３０ｄの左右方向の幅は遮光板７３０ｂと同じ７．７ｍｍ（１１ステップ分）である。遮光板７３０ｄの右下扉２４６ｄに対する取付位置は、遮光板７３０ｂの右上扉２４６ｂに対する取付位置に対して左右方向に所定の距離だけずれている。本例の遮光板７３０ｄは、右下扉２４６ｄが初期位置から左に１０ステップまでの位置にあるときには光センサ７２２により検知されず、右下扉２４６ｄが初期位置から左に１１ステップ乃至２１ステップの位置にあるときには光センサ７２２により検知され、右下扉２４６ｄが初期位置から左に２１ステップを超えて移動すると光センサ７２２により検知されなくなる位置に設けられている。本例では、右上扉２４６ｂと右下扉２４６ｄとが左右方向で同位置にあるとき、遮光板７３０ｄは、遮光板７３０ｂに対して正面側から見て１１．２ｍｍ（１６ステップ分）右側にずれた位置に設けられている。例えば、遮光板７３０ｂの右端が右上扉２４６ｂの右端辺２４８ｂよりも１１．２ｍｍ（１６ステップ分）内側に配置されているとすると、遮光板７３０ｄの右端は、右下扉２４６ｄの右端辺２４８ｄに沿う位置に配置される（図２２（ｂ）参照）。遮光板７３０ｂ、７３０ｄの左右方向の幅はいずれも１１ステップ分であるため、遮光板７３０ｂの右端と遮光板７３０ｄの左端との間には、左右方向に５ステップ分のクリアランスが形成される。
【００４９】
次に、図６を用いて、このパチンコ機１００の制御部の回路構成について詳細に説明する。なお、同図は制御部の回路ブロック図を示したものである。パチンコ機１００の制御部は、大別すると、遊技の中枢部分を制御する主制御部３００と、主制御部３００が送信するコマンド信号（以下、単に「コマンド」という）に応じて主に演出の制御を行う第１副制御部４００と、第１副制御部４００より送信されたコマンドに基づいて各種機器を制御する第２副制御部５００と、主制御部３００が送信するコマンドに応じて主に遊技球の払出しに関する制御を行う払出制御部６００と、遊技球の発射制御を行う発射制御部６３０と、パチンコ機１００に供給される電源を制御する電源制御部６６０と、によって構成している。
【００５０】
まず、パチンコ機１００の主制御部３００について説明する。主制御部３００は、主制御部３００の全体を制御する基本回路３０２を備えている。基本回路３０２には、ＣＰＵ３０４と、制御プログラムや各種データを記憶するためのＲＯＭ３０６と、一時的にデータを記憶するためのＲＡＭ３０８と、各種デバイスの入出力を制御するためのＩ／Ｏ３１０と、時間や回数等を計測するためのカウンタタイマ３１２と、プログラム処理の異常を監視するＷＤＴ３１４と、を搭載している。なお、ＲＯＭ３０６やＲＡＭ３０８については他の記憶装置を用いてもよく、この点は後述する第１副制御部４００についても同様である。この基本回路３０２のＣＰＵ３０４は、水晶発振器３１６ｂが出力する所定周期のクロック信号をシステムクロックとして入力して動作する。
【００５１】
また、基本回路３０２には、水晶発振器３１６ａが出力するクロック信号を受信する度に０〜６５５３５の範囲で数値を変動させるハードウェア乱数カウンタとして使用している乱数値生成回路（カウンタ回路）３１８（この回路には２つのカウンタを内蔵しているものとする）と、所定の球検出センサ、例えば各始動口、入賞口、可変入賞口を通過する遊技球を検出するセンサや、前面枠扉開放センサや内枠開放センサや下皿満タンセンサを含む各種センサ３２０が出力する信号を受信し、増幅結果や基準電圧との比較結果を乱数値生成回路３１８および基本回路３０２に出力するためのセンサ回路３２２と、所定の図柄表示装置、例えば特図１表示装置２１２や特図２表示装置２１４の表示制御を行うための駆動回路３２４と、所定の図柄表示装置、例えば普図表示装置２１０の表示制御を行うための駆動回路３２６と、各種状態表示部３２８（例えば、普図保留ランプ２１６、特図１保留ランプ２１８、特図２保留ランプ２２０、高確中ランプ２２２等）の表示制御を行うための駆動回路３３０と、所定の可動部材、例えば特図２始動口２３２の羽根部材２３２ａや可変入賞口２３４の扉部材２３４ａ等を開閉駆動する各種ソレノイド３３２を制御するための駆動回路３３４と、を接続している。
【００５２】
なお、特図１始動口２３０に球が入賞したことを球検出センサ３２０が検出した場合には、センサ回路３２２は球を検出したことを示す信号を乱数値生成回路３１８に出力する。この信号を受信した乱数値生成回路３１８は、特図１始動口２３０に対応するカウンタのそのタイミングにおける値をラッチし、ラッチした値を、特図１始動口２３０に対応する内蔵のカウンタ値記憶用レジスタに記憶する。また、乱数値生成回路３１８は、特図２始動口２３２に球が入賞したことを示す信号を受信した場合も同様に、特図２始動口２３２に対応するカウンタのそのタイミングにおける値をラッチし、ラッチした値を、特図２始動口２３２に対応する内蔵のカウンタ値記憶用レジスタに記憶する。
【００５３】
さらに、基本回路３０２には、情報出力回路３３６を接続しており、主制御部３００は、この情報出力回路３３６を介して、外部のホールコンピュータ（図示省略）等が備える情報入力回路３５０にパチンコ機１００の遊技情報（例えば、遊技状態）を出力する。
【００５４】
また、主制御部３００には、電源制御部６６０から主制御部３００に供給している電源の電圧値を監視する電圧監視回路３３８を設けており、この電圧監視回路３３８は、電源の電圧値が所定の値（本例では９Ｖ）未満である場合に電圧が低下したことを示す低電圧信号を基本回路３０２に出力する。
【００５５】
また、主制御部３００には、電源が投入されると起動信号（リセット信号）を出力する起動信号出力回路（リセット信号出力回路）３４０を設けており、ＣＰＵ３０４は、この起動信号出力回路３４０から起動信号を入力した場合に、遊技制御を開始する（後述する主制御部メイン処理を開始する）。
【００５６】
また、主制御部３００は、第１副制御部４００にコマンドを送信するための出力インターフェースと、払出制御部６００にコマンドを送信するための出力インターフェースとをそれぞれ備えており、この構成により、第１副制御部４００および払出制御部６００との通信を可能としている。なお、主制御部３００と第１副制御部４００および払出制御部６００との情報通信は一方向の通信であり、主制御部３００は第１副制御部４００および払出制御部６００にコマンド等の信号を送信できるように構成しているが、第１副制御部４００および払出制御部６００からは主制御部３００にコマンド等の信号を送信できないように構成している。
【００５７】
次に、パチンコ機１００の第１副制御部４００について説明する。第１副制御部４００は、主に主制御部３００が送信したコマンド等に基づいて第１副制御部４００の全体を制御する基本回路４０２を備えている。基本回路４０２には、ＣＰＵ４０４と、一時的にデータを記憶するためのＲＡＭ４０８と、各種デバイスの入出力を制御するためのＩ／Ｏ４１０と、時間や回数等を計測するためのカウンタタイマ４１２とを搭載している。この基本回路４０２のＣＰＵ４０４は、水晶発振器４１４が出力する所定周期のクロック信号をシステムクロックとして入力して動作する。また、基本回路４０２には、制御プログラムや各種演出データを記憶するためのＲＯＭ４０６が設けられている。なお、ＲＯＭ４０６は、制御プログラムと各種演出データとを別々のＲＯＭに記憶させてもよい。
【００５８】
また、基本回路４０２には、スピーカ１２０（およびアンプ）の制御を行うための音源ＩＣ（Ｓ−ＲＯＭ）４１６と、各種ランプ４１８（例えば、チャンスボタンランプ１３８）の制御を行うための駆動回路４２０と、演出可動体２２４の駆動制御を行うための駆動回路４２２と、演出可動体２２４の現在位置を検出する演出可動体センサ４２４と、チャンスボタン１３６の押下を検出するチャンスボタンセンサ４２６と、所定の検出センサ、例えば演出可動体センサ４２４やチャンスボタンセンサ４２６からの検出信号を基本回路４０２に出力するセンサ回路４２８と、装飾図柄表示装置（液晶表示装置）２０８および遮蔽装置２４６の制御を行うための第２副制御部５００と、を接続している。
【００５９】
第２副制御部５００は、第１副制御部４００が送信した制御コマンドを入力インターフェースを介して受信し、この制御コマンドに基づいて第２副制御部５００の全体を制御する、ＣＰＵ、ＲＯＭ、ＲＡＭ、Ｉ／Ｏおよびカウンタタイマ等を備えた不図示の基本回路を有している。また第２副制御部５００は、基本回路からの信号に基づいて遮蔽装置２４６の駆動制御を行うモータドライバＩＣ５０２を有している。
【００６０】
次に、パチンコ機１００の払出制御部６００、発射制御部６３０、電源制御部６６０について説明する。払出制御部６００は、主に主制御部３００が送信したコマンド等の信号に基づいて払出装置１５２の払出モータ６０２を制御するとともに、払出センサ６０４が出力する制御信号に基づいて賞球または貸球の払出しが完了したか否かを検出する。また払出制御部６００は、インターフェース部６０６を介して、パチンコ機１００とは別体で設けられたカードユニット６０８との通信を行う。
【００６１】
発射制御部６３０は、払出制御部６００が出力する、発射許可または停止を指示する制御信号や、球発射ハンドル１３４内に設けた発射強度出力回路が出力する、遊技者による球発射ハンドル１３４の操作量に応じた発射強度を指示する制御信号に基づいて、発射杆１４６および発射槌１４８を駆動する発射モータ６３２の制御や、上皿１２６から発射装置１１０に球を供給する球送り装置６３４の制御を行う。
【００６２】
電源制御部６６０は、パチンコ機１００に外部から供給される交流電源を直流化し、所定の電圧に変換して主制御部３００、第１副制御部４００等の各制御部や払出装置１５２等の各装置に供給する。さらに、電源制御部６６０は、外部からの電源が断たれた後も所定の部品（例えば主制御部３００のＲＡＭ３０８等）に所定の期間（例えば１０日間）電源を供給するための蓄電回路（例えば、コンデンサ）を備えている。なお、本実施の形態では、電源制御部６６０から払出制御部６００と第２副制御部５００に所定電圧を供給し、払出制御部６００から主制御部３００と第２副制御部５００と発射制御部６３０に所定電圧を供給しているが、各制御部や各装置に他の電源経路で所定電圧を供給してもよい。
【００６３】
次に、図７（ａ）〜（ｃ）を用いて、パチンコ機１００の特図１表示装置２１２、特図２表示装置２１４、装飾図柄表示装置２０８、普図表示装置２１０が停止表示する特図および普図の種類について説明する。図７（ａ）は特図の停止図柄態様の一例を示したものである。特図１始動口２３０に球が入球したことを第１始動口センサが検出したことを条件として特図１変動遊技が開始され、特図２始動口２３２に球が入球したことを第２始動口センサが検出したことを条件として特図２変動遊技が開始される。特図１変動遊技が開始されると、特図１表示装置２１２は、７個のセグメントの全点灯と、中央の１個のセグメントの点灯を繰り返す「特図１の変動表示」を行う。また、特図２変動遊技が開始されると、特図２表示装置２１４は、７個のセグメントの全点灯と、中央の１個のセグメントの点灯を繰り返す「特図２の変動表示」を行う。これらの「特図１の変動表示」および「特図２の変動表示」が本実施形態にいう図柄の変動表示の一例に相当する。そして、特図１の変動開始前に決定した変動時間が経過すると、特図１表示装置２１２は特図１の停止図柄態様を停止表示し、特図２の変動開始前に決定した変動時間が経過すると、特図２表示装置２１４は特図２の停止図柄態様を停止表示する。したがって、「特図１の変動表示」を開始してから特図１の停止図柄態様を停止表示するまで、あるいは「特図２の変動表示」を開始してから特図２の停止図柄態様を停止表示するまでが本実施形態にいう図柄変動停止表示の一例に相当し、以下、この「特図１または２の変動表示」を開始してから特図１または２の停止図柄態様を停止表示するまでの一連の表示を図柄変動停止表示と称する。図柄変動停止表示は複数回、連続して行われることがある。
【００６４】
図７（ａ）には、図柄変動停止表示における停止図柄態様として「特図Ａ」から「特図Ｊ」までの１０種類の特図が示されている。図７（ａ）においては、図中の白抜きの部分が消灯するセグメントの場所を示し、黒塗りの部分が点灯するセグメントの場所を示している。「特図Ａ」は１５ラウンド（１５Ｒ）特別大当り図柄であり、「特図Ｂ」は１５Ｒ大当り図柄である。本実施形態のパチンコ機１００では、特図変動遊技における大当りか否かの決定はハードウェア乱数の抽選によって行い、特別大当りか否かの決定はソフトウェア乱数の抽選によって行う。大当りと特別大当りの違いは、次回の特図変動遊技で、大当りに当選する確率が高い（特別大当り）か低い（大当り）かの違いである。以下、この大当りに当選する確率が高い状態のことを特図高確率状態と称し、その確率が低い状態のことを特図低確率状態と称する。また、１５Ｒ特別大当り遊技終了後および１５Ｒ大当り遊技終了後はいずれも電サポ状態（時短状態ともいう）に移行する。電サポについては詳しくは後述するが、電サポ状態のことを普図高確率状態と称し、電サポ状態でない状態のことを普図低確率状態と称する。１５Ｒ特別大当り図柄である「特図Ａ」は、特図高確率普図高確率状態であり、１５Ｒ大当り図柄である「特図Ｂ」は、特図低確率普図高確率状態である。これらの「特図Ａ」および「特図Ｂ」は、遊技者に対する有利度が相対的に大きくなる図柄である。
【００６５】
「特図Ｃ」は突然確変と称される２Ｒ大当り図柄であり、特図高確率普図高確率状態である。すなわち、１５Ｒである「特図Ａ」と比べて、「特図Ｃ」は２Ｒである点が異なる。「特図Ｄ」は突然時短と称される２Ｒ大当り図柄であり、特図低確率普図高確率状態である。すなわち、１５Ｒである「特図Ｂ」と比べて、「特図Ｄ」は２Ｒである点が異なる。
【００６６】
「特図Ｅ」は隠れ確変または潜伏確変と称される２Ｒ大当り図柄であり、特図高確率普図低確率状態である。「特図Ｆ」は突然通常と称される２Ｒ大当り図柄であり、特図低確率普図低確率状態である。これら「特図Ｅ」および「特図Ｆ」はいずれも、２Ｒであるとともに、電サポ状態に移行しない状態である。
【００６７】
「特図Ｇ」は第１小当り図柄であり、「特図Ｈ」は第２小当り図柄であり、いずれも特図低確率普図低確率状態である。ここにいう小当りは、２Ｒ電サポ無し大当りと同じものに相当する。すなわち、この「特図Ｇ」、「特図Ｈ」は「特図Ｆ」と同じ状態であるが、両者では装飾図柄表示装置２０８に表示される演出が異なり、あえて、同じ状態でも「特図Ｇ」、「特図Ｈ」と「特図Ｆ」を設けておくことで、遊技の興趣を高めている。
【００６８】
また、「特図Ｉ」は第１はずれ図柄であり、「特図Ｊ」は第２はずれ図柄であり、いずれも遊技者に対する有利度が相対的に小さくなる図柄である。
【００６９】
なお、本実施形態のパチンコ機１００には、１５Ｒ特別大当り図柄として「特図Ａ」以外の図柄も用意されており、１５Ｒ大当り図柄等の他の図柄についても同様である。
【００７０】
図７（ｂ）は装飾図柄の一例を示したものである。本実施形態の装飾図柄には、「装飾１」〜「装飾１０」の１０種類がある。特図１始動口２３０または特図２始動口２３２に球が入賞したこと、すなわち、特図１始動口２３０に球が入球したことを第１始動口センサが検出したこと、あるいは特図２始動口２３２に球が入球したことを第２始動口センサが検出したことを条件にして、装飾図柄表示装置２０８の左図柄表示領域２０８ａ、中図柄表示領域２０８ｂ、右図柄表示領域２０８ｃの各図柄表示領域に、「装飾１」→「装飾２」→「装飾３」→・・・→「装飾９」→「装飾１０」→「装飾１」→・・・の順番で表示を切り替える「装飾図柄の変動表示」を行う。
【００７１】
そして、「特図Ａ」の１５Ｒ特別大当りまたは「特図Ｂ」の１５Ｒ大当りを報知する場合には、図柄表示領域２０８ａ〜２０８ｃに同じ装飾図柄が３つ並んだ図柄組合せ（例えば「装飾１−装飾１−装飾１」や「装飾２−装飾２−装飾２」等）を停止表示する。「特図Ａ」の１５Ｒ特別大当りを明示的に報知する場合には、同じ奇数の装飾図柄が３つ並んだ図柄組合せ（例えば「装飾３−装飾３−装飾３」や「装飾７−装飾７−装飾７」等）を停止表示する。
【００７２】
また、「特図Ｅ」の隠れ確変または潜伏確変と称される２Ｒ大当り、「特図Ｆ」の突然通常と称される２Ｒ大当り、あるいは「特図Ｇ」の第１小当り、「特図Ｈ」の第２小当りを報知する場合には、「装飾１−装飾２−装飾３」を停止表示する。さらに、「特図Ｃ」の突然確変と称される２Ｒ大当り、あるいは「特図Ｄ」の突然時短と称される２Ｒ大当りを報知する場合には、「装飾１−装飾３−装飾５」を停止表示する。
【００７３】
一方、「特図Ｉ」の第１はずれ、「特図Ｊ」の第２はずれを報知する場合には、図柄表示領域２０８ａ〜２０８ｃに図７（ｂ）に示す図柄組合せ以外の図柄組合せを停止表示する。
【００７４】
図７（ｃ）は普図の停止表示図柄の一例を示したものである。本実施形態の普図の停止表示態様には、当り図柄である「普図Ａ」と、はずれ図柄である「普図Ｂ」の２種類がある。普図始動口２２８を球が通過したことを上述のゲートセンサが検出したことに基づいて、普図表示装置２１０は、７個のセグメントの全点灯と、中央の１個のセグメントの点灯を繰り返す「普図の変動表示」を行う。そして、普図変動遊技の当選を報知する場合には「普図Ａ」を停止表示し、普図変動遊技のはずれを報知する場合には「普図Ｂ」を停止表示する。図７（ｃ）においても、図中の白抜きの部分が消灯するセグメントの場所を示し、黒塗りの部分が点灯するセグメントの場所を示している。
【００７５】
次に、図８を用いて、主制御部３００のＣＰＵ３０４が実行する主制御部メイン処理について説明する。なお、同図は主制御部メイン処理の流れを示すフローチャートである。上述したように、主制御部３００には、電源が投入されると起動信号（リセット信号）を出力する起動信号出力回路（リセット信号出力回路）３４０を設けている。この起動信号を入力した基本回路３０２のＣＰＵ３０４は、リセット割込によりリセットスタートしてＲＯＭ３０６に予め記憶している制御プログラムに従って図８に示す主制御部メイン処理を実行する。
【００７６】
まずステップＳ１０１では、初期設定１を行う。初期設定１では、ＣＰＵ３０４のスタックポインタ（ＳＰ）へのスタック初期値の設定（仮設定）、割込マスクの設定、Ｉ／Ｏ３１０の初期設定、ＲＡＭ３０８に記憶する各種変数の初期設定、ＷＤＴ３１４への動作許可および初期値の設定等を行う。なお、本実施の形態では、ＷＤＴ３１４に、初期値として３２．８ｍｓに相当する数値を設定する。
【００７７】
ステップＳ１０１の次のステップＳ１０３では、ＷＤＴ３１４のカウンタの値をクリアし、ＷＤＴ３１４による時間計測を再始動する。ステップＳ１０３の次のステップＳ１０５では、低電圧信号がオンであるか否か、すなわち、電圧監視回路３３８が、電源制御部６６０から主制御部３００に供給している電源の電圧値が所定の値（本例では９Ｖ）未満である場合に電圧が低下したことを示す低電圧信号を出力しているか否かを監視する。そして、低電圧信号がオンの場合（ＣＰＵ３０４が電源の遮断を検知した場合）にはステップＳ１０３に戻り、低電圧信号がオフの場合（ＣＰＵ３０４が電源の遮断を検知していない場合）にはステップＳ１０７に進む。なお、電源が投入された直後で未だ上記所定の値（９Ｖ）に達しない場合にもステップＳ１０３に戻り、供給電圧がその所定の値以上になるまで、ステップＳ１０５は繰り返し実行される。
【００７８】
ステップＳ１０７では、初期設定２を行う。初期設定２では、後述する主制御部タイマ割込処理を定期毎に実行するための周期を決める数値をカウンタタイマ３１２に設定する処理、Ｉ／Ｏ３１０の所定のポート（例えば試験用出力ポート、第１副制御部４００への出力ポート）からクリア信号を出力する処理、ＲＡＭ３０８への書き込みを許可する設定等を行う。
【００７９】
ステップＳ１０７の次のステップＳ１０９では、電源の遮断前（電断前）の状態に復帰するか否かの判定を行い、電断前の状態に復帰しない場合（主制御部３００の基本回路３０２を初期状態にする場合）には初期化処理（ステップＳ１１３）に進む。具体的には、最初に、電源基板に設けたＲＷＭクリアスイッチ１８０を遊技店の店員などが操作した場合に送信されるＲＡＭクリア信号がオン（操作があったことを示す）であるか否か、すなわちＲＡＭクリアが必要であるか否かを判定し、ＲＡＭクリア信号がオンの場合（ＲＡＭクリアが必要な場合）には、基本回路３０２を初期状態にすべくステップＳ１１３に進む。一方、ＲＡＭクリア信号がオフの場合（ＲＡＭクリアが必要でない場合）には、ＲＡＭ３０８に設けた電源ステータス記憶領域に記憶した電源ステータスの情報を読み出し、この電源ステータスの情報がサスペンドを示す情報であるか否かを判定する。そして、電源ステータスの情報がサスペンドを示す情報でない場合には、基本回路３０２を初期状態にすべくステップＳ１１３に進む。電源ステータスの情報がサスペンドを示す情報である場合には、ＲＡＭ３０８の所定の領域（例えば全ての領域）に記憶している１バイトデータを初期値が０である１バイト構成のレジスタに全て加算することによりチェックサムを算出し、算出したチェックサムの結果が特定の値（例えば０）であるか否か（チェックサムの結果が正常であるか否か）を判定する。そして、チェックサムの結果が特定の値（例えば０）の場合（チェックサムの結果が正常である場合）には電断前の状態に復帰すべくステップＳ１１１に進み、チェックサムの結果が特定の値（例えば０）以外である場合（チェックサムの結果が異常である場合）には、パチンコ機１００を初期状態にすべくステップＳ１１３に進む。
【００８０】
ステップＳ１１１では、復電時処理を行う。この復電時処理では、電断時にＲＡＭ３０８に設けられたスタックポインタ退避領域に記憶しておいたスタックポインタの値を読み出し、スタックポインタに再設定（本設定）する。また、電断時にＲＡＭ３０８に設けられたレジスタ退避領域に記憶しておいた各レジスタの値を読み出し、各レジスタに再設定した後、割込許可の設定を行う。以降、ＣＰＵ３０４が、再設定後のスタックポインタやレジスタに基づいて制御プログラムを実行する結果、パチンコ機１００は電源断時の状態に復帰する。すなわち、電断直前にタイマ割込処理（後述）に分岐する直前に行った（ステップＳ１１５内の所定の）命令の次の命令から処理を再開する。また、主制御部３００のＲＡＭ３０８には、送信情報記憶領域が設けられている。このステップＳ１１１では、その送信情報記憶領域に、復電コマンドをセットする。この復電コマンドは、電源断時の状態に復帰したことを表すコマンドであり、後述する、主制御部３００のタイマ割込処理におけるコマンド設定送信処理（ステップＳ２３３）において、第１副制御部４００へ送信される。
【００８１】
ステップＳ１１３では、初期化処理を行う。この初期化処理では、割込禁止の設定、スタックポインタへのスタック初期値の設定（本設定）、ＲＡＭ３０８の全ての記憶領域の初期化などを行う。さらにここで、主制御部３００のＲＡＭ３０８に設けられた送信情報記憶領域に正常復帰コマンドをセットする。この正常復帰コマンドは、主制御部３００の初期化処理（ステップＳ１１３）が行われたことを表すコマンドであり、復電コマンドと同じく、主制御部３００のタイマ割込処理におけるコマンド設定送信処理（ステップＳ２３３）において、第１副制御部４００へ送信される。
【００８２】
ステップＳ１１３の次のステップＳ１１５では、割込禁止の設定を行った後、基本乱数初期値更新処理を行う。この基本乱数初期値更新処理では、普図当選乱数値、特図１乱数値、および特図２乱数値をそれぞれ生成するための３つの乱数カウンタの初期値を生成するための３つの初期値生成用乱数カウンタと、普図変動時間決定用乱数値、および特図変動時間決定用乱数値それぞれを生成するための２つの乱数カウンタとを更新する。例えば、普図変動時間決定用乱数値として取り得る数値範囲が０〜１００とすると、ＲＡＭ３０８に設けた普図変動時間決定用乱数値を生成するための乱数カウンタ記憶領域から値を取得し、取得した値に１を加算してから元の乱数カウンタ記憶領域に記憶する。このとき、取得した値に１を加算した結果が１０１であれば０を元の乱数カウンタ記憶領域に記憶する。他の初期値生成用乱数カウンタ、乱数カウンタもそれぞれ同様に更新する。なお、初期値生成用乱数カウンタは、後述する基本乱数初期値更新処理（ステップＳ２０７）でも更新する。主制御部３００は、所定の周期ごとに開始するタイマ割込処理を行っている間を除いて、ステップＳ１１５の処理を繰り返し実行する。
【００８３】
次に、図９を用いて、主制御部３００のＣＰＵ３０４が実行する主制御部タイマ割込処理について説明する。なお、同図は主制御部タイマ割込処理の流れを示すフローチャートである。主制御部３００は、所定の周期（本例では約２ｍｓに１回）でタイマ割込信号を発生するカウンタタイマ３１２を備えており、このタイマ割込信号を契機として主制御部タイマ割込処理を所定の周期で開始する。
【００８４】
まずステップＳ２０１では、タイマ割込開始処理を行う。このタイマ割込開始処理では、ＣＰＵ３０４の各レジスタの値をスタック領域に一時的に退避する処理などを行う。ステップＳ２０１の次のステップＳ２０３では、ＷＤＴ３１４のカウント値が初期設定値（本例では３２．８ｍｓ）を超えてＷＤＴ割込が発生しないように（処理の異常を検出しないように）、ＷＤＴを定期的に（本例では、主制御部タイマ割込の周期である約２ｍｓに１回）リスタートを行う。
【００８５】
ステップＳ２０３の次のステップＳ２０５では、入力ポート状態更新処理を行う。この入力ポート状態更新処理では、Ｉ／Ｏ３１０の入力ポートを介して、上述の前面枠扉開放センサや内枠開放センサや下皿満タンセンサ、各種の球検出センサを含む各種センサ３２０の検出信号を入力して検出信号の有無を監視し、ＲＡＭ３０８に各種センサ３２０ごとに区画して設けた信号状態記憶領域に記憶する。球検出センサの検出信号を例にして説明すれば、前々回のタイマ割込処理（約４ｍｓ前）で検出した各々の球検出センサの検出信号の有無の情報を、ＲＡＭ３０８に各々の球検出センサごとに区画して設けた前回検出信号記憶領域から読み出し、この情報をＲＡＭ３０８に各々の球検出センサごとに区画して設けた前々回検出信号記憶領域に記憶し、前回のタイマ割込処理（約２ｍｓ前）で検出した各々の球検出センサの検出信号の有無の情報を、ＲＡＭ３０８に各々の球検出センサごとに区画して設けた今回検出信号記憶領域から読み出し、この情報を上述の前回検出信号記憶領域に記憶する。また、今回検出した各々の球検出センサの検出信号を、上述の今回検出信号記憶領域に記憶する。
【００８６】
また、ステップＳ２０５では、上述の前々回検出信号記憶領域、前回検出信号記憶領域、および今回検出信号記領域の各記憶領域に記憶した各々の球検出センサの検出信号の有無の情報を比較し、各々の球検出センサにおける過去３回分の検出信号の有無の情報が入賞判定パターン情報と一致するか否かを判定する。一個の遊技球が一つの球検出センサを通過する間に、約２ｍｓという非常に短い間隔で起動を繰り返すこの主制御部タイマ割込処理は何回か起動する。このため、主制御部タイマ割込処理が起動する度に、ステップＳ２０５では、同じ遊技球が同じ球検出センサを通過したことを表す検出信号を確認することになる。この結果、上述の前々回検出信号記憶領域、前回検出信号記憶領域、および今回検出信号記領域それぞれに、同じ遊技球が同じ球検出センサを通過したことを表す検出信号が記憶される。すなわち、遊技球が球検出センサを通過し始めたときには、前々回検出信号無し、前回検出信号有り、今回検出信号有りになる。本実施の形態では、球検出センサの誤検出やノイズを考慮して、検出信号無しの後に検出信号が連続して２回記憶されている場合には、入賞があったと判定する。
【００８７】
主制御部３００のＲＯＭ３０６には、入賞判定パターン情報（本実施の形態では、前々回検出信号無し、前回検出信号有り、今回検出信号有りであることを示す情報）が記憶されている。ステップＳ２０５では、各々の球検出センサにおいて過去３回分の検出信号の有無の情報が、予め定めた入賞判定パターン情報（本実施の形態では、前々回検出信号無し、前回検出信号有り、今回検出信号有りであることを示す情報）と一致した場合に、一般入賞口２２６、可変入賞口２３４、特図１始動口２３０、および特図２始動口２３２への入球、または普図始動口２２８の通過があったと判定する。すなわち、これらの入賞口２２６、２３４やこれらの始動口２３０、２３２、２２８への入賞があったと判定する。例えば、一般入賞口２２６への入球を検出する一般入賞口センサにおいて過去３回分の検出信号の有無の情報が上述の入賞判定パターン情報と一致した場合には、一般入賞口２２６へ入賞があったと判定し、以降の一般入賞口２２６への入賞に伴う処理を行うが、過去３回分の検出信号の有無の情報が上述の入賞判定パターン情報と一致しなかった場合には、以降の一般入賞口２２６への入賞に伴う処理を行わずに後続の処理に分岐する。
【００８８】
また、主制御部３００のＲＯＭ３０６には、入賞判定クリアパターン情報（本実施の形態では、前々回検出信号有り、前回検出信号無し、今回検出信号無しであることを示す情報）が記憶されている。入賞が一度あったと判定した後は、各々の球検出センサにおいて過去３回分の検出信号の有無の情報が、その入賞判定クリアパターン情報に一致するまで入賞があったとは判定せず、入賞判定クリアパターン情報に一致すれば、次からは上記入賞判定パターン情報に一致するか否かの判定を行う。
【００８９】
ステップＳ２０５の次のステップＳ２０７では基本乱数初期値更新処理を行い、その次のステップＳ２０９では基本乱数更新処理を行う。これらの基本乱数初期値更新処理および基本乱数更新処理では、上記ステップＳ１１５で行った初期値生成用乱数カウンタの更新を行い、次に主制御部３００で使用する、普図当選乱数値、特図１乱数値、および特図２乱数値をそれぞれ生成するための３つの乱数カウンタを更新する。例えば、普図当選乱数値として取り得る数値範囲が０〜１００とすると、ＲＡＭ３０８に設けた普図当選乱数値を生成するための乱数カウンタ記憶領域から値を取得し、取得した値に１を加算してから元の乱数カウンタ記憶領域に記憶する。このとき、取得した値に１を加算した結果が１０１であれば０を元の乱数カウンタ記憶領域に記憶する。また、取得した値に１を加算した結果、乱数カウンタが一周していると判定した場合には、それぞれの乱数カウンタに対応する初期値生成用乱数カウンタの値を取得し、乱数カウンタの記憶領域にセットする。
【００９０】
例えば、０〜１００の数値範囲で変動する普図当選乱数値生成用の乱数カウンタから値を取得し、取得した値に１を加算した結果が、ＲＡＭ３０８に設けた所定の初期値記憶領域に記憶している前回設定した初期値と等しい値（例えば７）である場合に、普図当選乱数値生成用の乱数カウンタに対応する初期値生成用乱数カウンタから値を初期値として取得し、普図当選乱数値生成用の乱数カウンタにセットするとともに、普図当選乱数値生成用の乱数カウンタが次に１周したことを判定するために、今回設定した初期値を上述の初期値記憶領域に記憶しておく。また、普図当選乱数値生成用の乱数カウンタが次に１周したことを判定するための上述の初期値記憶領域とは別に、特図１乱数値生成用の乱数カウンタおよび特図２乱数値生成用の乱数カウンタがそれぞれ１周したことを判定するための初期値記憶領域をＲＡＭ３０８に設けている。なお、本実施の形態では特図１乱数値を取得するためのカウンタと特図２乱数値を取得するためのカウンタとを別に設けたが、同一のカウンタを用いてもよい。
【００９１】
ステップＳ２０９の次のステップＳ２１１では、演出乱数更新処理を行う。この演出乱数更新処理では、主制御部３００で使用する演出用乱数値を生成するための乱数カウンタを更新する。
【００９２】
ステップＳ２１１の次のステップＳ２１３では、タイマ更新処理を行う。このタイマ更新処理では、普図表示装置２１０に図柄を変動・停止表示する時間を計時するための普図表示図柄更新タイマ、特図１表示装置２１２に図柄を変動・停止表示する時間を計時するための特図１表示図柄更新タイマ、特図２表示装置２１４に図柄を変動・停止表示する時間を計時するための特図２表示図柄更新タイマ、所定の入賞演出時間、所定の開放時間、所定の閉鎖時間、所定の終了演出期間などを計時するためのタイマなどを含む各種タイマを更新する。
【００９３】
ステップＳ２１３の次のステップＳ２１５では、入賞口カウンタ更新処理を行う。この入賞口カウンタ更新処理では、入賞口２２６、２３４や始動口２３０、２３２、２２８に入賞があった場合に、ＲＡＭ３０８に各入賞口ごと、あるいは各始動口ごとに設けた賞球数記憶領域の値を読み出し、１を加算して、元の賞球数記憶領域に設定する。
【００９４】
ステップＳ２１５の次のステップＳ２１７では、入賞受付処理を行う。この入賞受付処理では、特図１始動口２３０、特図２始動口２３２、普図始動口２２８および可変入賞口２３４への入賞があったか否かを判定する。ここでは、ステップＳ２０５における入賞判定パターン情報と一致するか否かの判定結果を用いて判定する。
【００９５】
特図１始動口２３０へ入賞があった場合かつＲＡＭ３０８に設けた対応する特図１保留数記憶領域が満タンでない場合、乱数値生成回路（ハード乱数回路）３１８の特図１始動口２３０に対応する内蔵のカウンタ値記憶用レジスタに記憶された値に所定の加工を施して生成した特図１当選乱数値を取得するとともに、ＲＡＭ３０８に設けた特図１乱数値生成用乱数カウンタから特図１乱数値を取得して特図１乱数値記憶領域に取得順に格納する。特図１乱数値記憶領域内の特図１当選乱数値および特図１乱数値の組は、特図１保留数記憶領域に記憶された特図１保留数と同数分だけ格納される。特図１乱数値記憶領域内では、特図１保留数が１つ減るごとに保留順位が最上位（最先）の特図１当選乱数値および特図１乱数値の組のデータが消去されるとともに、残余の特図１当選乱数値および特図１乱数値の組のデータの保留順位が１ずつ繰り上がるように処理される。また、特図１保留数が１つ増えるごとに、保留順位が最下位（最後）の特図１当選乱数値および特図１乱数値の組のデータの次の保留順位に新たな特図１当選乱数値および特図１乱数値の組のデータが書き込まれる。
【００９６】
特図２始動口２３２へ入賞があった場合かつＲＡＭ３０８に設けた対応する特図２保留数記憶領域が満タンでない場合、乱数値生成回路３１８の特図２始動口２３２に対応する内蔵のカウンタ値記憶用レジスタに記憶された値に所定の加工を施して生成した特図２当選乱数値を取得するとともに、ＲＡＭ３０８に設けた特図２乱数値生成用乱数カウンタから特図２乱数値を取得して特図２乱数値記憶領域に取得順に格納する。特図２乱数値記憶領域内の特図２当選乱数値および特図２乱数値の組は、特図２保留数記憶領域に記憶された特図２保留数と同数分だけ格納される。特図２乱数値記憶領域内では、特図２保留数が１つ減るごとに保留順位が最上位の特図２当選乱数値および特図２乱数値の組のデータが消去されるとともに、残余の特図２当選乱数値および特図２乱数値の組のデータの保留順位が１ずつ繰り上がるように処理される。また、特図２保留数が１つ増えるごとに、保留順位が最下位の特図２当選乱数値および特図２乱数値の組のデータの次の保留順位に新たな特図２当選乱数値および特図２乱数値の組のデータが書き込まれる。
【００９７】
普図始動口２２８へ入賞があった場合かつＲＡＭ３０８に設けた対応する普図保留数記憶領域が満タンでない場合、普図当選乱数値生成用乱数カウンタから値を普図当選乱数値として取得して対応する普図乱数値記憶領域に格納する。可変入賞口２３４へ入賞があった場合には、可変入賞口用の入賞記憶領域に、可変入賞口２３４に球が入球したことを示す情報を格納する。
【００９８】
ステップＳ２１７の次のステップＳ２１９では、払出要求数送信処理を行う。なお、払出制御部６００に出力する出力予定情報および払出要求情報は、例えば１バイトで構成しており、ビット７にストローブ情報（オンの場合、データをセットしていることを示す）、ビット６に電源投入情報（オンの場合、電源投入後一回目のコマンド送信であることを示す）、ビット４〜５に暗号化のための今回加工種別（０〜３）、およびビット０〜３に暗号化加工後の払出要求数を示すようにしている。
【００９９】
ステップＳ２１９の次のステップＳ２２１では、普図状態更新処理を行う。この普図状態更新処理は、普図の状態に対応する複数の処理のうちの１つの処理を行う。例えば、普図変動表示の途中（上述する普図表示図柄更新タイマの値が１以上）における普図状態更新処理では、普図表示装置２１０を構成する７セグメントＬＥＤの点灯と消灯を繰り返す点灯・消灯駆動制御を行う。この制御を行うことで、普図表示装置２１０は普図の変動表示（普図変動遊技）を行う。
【０１００】
また、普図変動表示時間が経過したタイミング（普図表示図柄更新タイマの値が１から０になったタイミング）における普図状態更新処理では、普図当りフラグがオンの場合には、当り図柄の表示態様となるように普図表示装置２１０を構成する７セグメントＬＥＤの点灯・消灯駆動制御を行い、普図当りフラグがオフの場合には、はずれ図柄の表示態様となるように普図表示装置２１０を構成する７セグメントＬＥＤの点灯・消灯駆動制御を行う。また、主制御部３００のＲＡＭ３０８には、普図状態更新処理に限らず各種の処理において各種の設定を行う設定領域が用意されている。ここでは、上記点灯・消灯駆動制御を行うとともに、その設定領域に普図停止表示中であることを示す設定を行う。この制御を行うことで、普図表示装置２１０は、当り図柄（図５（ｃ）に示す普図Ａ）およびはずれ図柄（図５（ｃ）に示す普図Ｂ）いずれか一方の図柄の確定表示を行う。さらにその後、所定の停止表示期間（例えば５００ｍｓ）、その表示を維持するためにＲＡＭ３０８に設けた普図停止時間管理用タイマの記憶領域に停止期間を示す情報を設定する。この設定により、確定表示された図柄が所定期間停止表示され、普図変動遊技の結果が遊技者に報知される。
【０１０１】
また、普図変動遊技の結果が当りであれば、普図当りフラグがオンにされる。この普図当りフラグがオンの場合には、所定の停止表示期間が終了したタイミング（普図停止時間管理用タイマの値が１から０になったタイミング）における普図状態更新処理では、ＲＡＭ３０８の設定領域に普図作動中を設定するとともに、所定の開放期間（例えば２秒間）、特図２始動口２３２の羽根部材２３２ａの開閉駆動用のソレノイド（各種ソレノイド３３２の一部）に、羽根部材２３２ａを開放状態に保持する信号を出力するとともに、ＲＡＭ３０８に設けた羽根開放時間管理用タイマの記憶領域に開放期間を示す情報を設定する。
【０１０２】
また、所定の開放期間が終了したタイミング（羽根開放時間管理用タイマの値が１から０になったタイミング）で開始する普図状態更新処理では、所定の閉鎖期間（例えば５００ｍｓ）、羽根部材の開閉駆動用のソレノイド３３２に、羽根部材を閉鎖状態に保持する信号を出力するとともに、ＲＡＭ３０８に設けた羽根閉鎖時間管理用タイマの記憶領域に閉鎖期間を示す情報を設定する。
【０１０３】
また、所定の閉鎖期間が終了したタイミング（羽根閉鎖時間管理用タイマの値が１から０になったタイミング）で開始する普図状態更新処理では、ＲＡＭ３０８の設定領域に普図非作動中を設定する。さらに、普図変動遊技の結果がはずれであれば、普図当りフラグがオフにされる。この普図当りフラグがオフの場合には、上述した所定の停止表示期間が終了したタイミング（普図停止時間管理用タイマの値が１から０になったタイミング）における普図状態更新処理でも、ＲＡＭ３０８の設定領域に普図非作動中を設定する。普図非作動中の場合における普図状態更新処理では、何もせずに次のステップＳ２２３に移行するようにしている。
【０１０４】
ステップＳ２２３では、普図関連抽選処理を行う。この普図関連抽選処理では、普図変動遊技および特図２始動口２３２の開閉制御を行っておらず（普図の状態が非作動中）、かつ、保留している普図変動遊技の数が１以上である場合に、上述の乱数値記憶領域に記憶している普図当選乱数値に基づいた乱数抽選により普図変動遊技の結果を当選とするか、不当選とするかを決定する当り判定を行い、当選とする場合にはＲＡＭ３０８に設けた普図当りフラグをオンに設定する。不当選の場合には、普図当りフラグをオフに設定する。また、当り判定の結果に関わらず、次に上述の普図変動時間決定用乱数値生成用の乱数カウンタの値を普図変動時間決定用乱数値として取得し、取得した普図変動時間決定用乱数値に基づいて複数の変動時間のうちから普図表示装置２１０に普図を変動表示する時間を１つ選択し、この変動表示時間を、普図変動表示時間として、ＲＡＭ３０８に設けた普図変動時間記憶領域に記憶する。なお、保留している普図変動遊技の数は、ＲＡＭ３０８に設けた普図保留数記憶領域に記憶するようにしており、当り判定をする度に、保留している普図変動遊技の数から１を減算した値を、この普図保留数記憶領域に記憶し直すようにしている。また当り判定に使用した乱数値を消去する。
【０１０５】
次いで、特図１および特図２それぞれについての特図状態更新処理を行うが、最初に、特図２についての特図状態更新処理（特図２状態更新処理）を行う（ステップＳ２２５）。この特図２状態更新処理では、特図２の状態に応じて、次の複数の処理のうちの１つの処理を行う。
【０１０６】
例えば、特図２変動表示の途中（上述の特図２表示図柄更新タイマの値が１以上）における特図２状態更新処理では、特図２表示装置２１４を構成する７セグメントＬＥＤの点灯と消灯を繰り返す点灯・消灯駆動制御を行う。この制御を行うことで、特図２表示装置２１４は特図２の変動表示（特図２変動遊技）を行う。また、コマンド設定送信処理（ステップＳ２３３）で回転開始設定送信処理を実行させることを示す所定の送信情報を上述の送信情報記憶領域に追加記憶してから処理を終了する。
【０１０７】
また、主制御部３００のＲＡＭ３０８には、１５Ｒ大当りフラグ、２Ｒ大当りフラグ、第１小当りフラグ、第２小当りフラグ、第１はずれフラグ、第２はずれフラグ、特図確率変動フラグ、および普図確率変動フラグそれぞれのフラグが用意されている。特図２変動表示時間が経過したタイミング（特図２表示図柄更新タイマの値が１から０になったタイミング）で開始する特図２状態更新処理では、１５Ｒ大当りフラグがオン、特図確率変動フラグもオン、普図確率変動フラグもオンの場合には図７（ａ）に示す特図Ａ、１５Ｒ大当りフラグがオン、特図確率変動フラグがオフ、普図確率変動フラグがオンの場合には特図Ｂ、２Ｒ大当りフラグがオン、特図確率変動フラグもオン、普図確率変動フラグもオンの場合には特図Ｃ、２Ｒ大当りフラグがオン、特図確率変動フラグがオフ、普図確率変動フラグがオンの場合には特図Ｄ、２Ｒ大当りフラグがオン、特図確率変動フラグもオン、普図確率変動フラグがオフの場合には特図Ｅ、２Ｒ大当りフラグがオン、特図確率変動フラグがオフ、普図確率変動フラグがオフの場合には特図Ｆ、第１小当りフラグがオンの場合には特図Ｇ、第２小当りフラグがオンの場合には特図Ｈ、第１はずれフラグがオンの場合には特図Ｉ、第２はずれフラグがオンの場合には特図Ｊそれぞれの態様となるように、特図２表示装置２１４を構成する７セグメントＬＥＤの点灯・消灯駆動制御を行い、ＲＡＭ３０８の設定領域に特図２停止表示中であることを表す設定を行う。この制御を行うことで、特図２表示装置２１４は、１５Ｒ特別大当り図柄（特図Ａ）、１５Ｒ大当り図柄（特図Ｂ）、突然確変図柄（特図Ｃ）、突然時短図柄（特図Ｄ）、隠れ確変図柄（特図Ｅ）、突然通常図柄（特図Ｆ）、第１小当り図柄（特図Ｇ）、第２小当り図柄（特図Ｈ）、第１はずれ図柄（特図Ｉ）、および第１はずれ図柄（特図Ｊ）のいずれか一つの図柄の確定表示を行う。
【０１０８】
さらにその後、所定の停止表示期間（例えば５００ｍｓ）その表示を維持するために、ＲＡＭ３０８に設けた特図２停止時間管理用タイマの記憶領域に停止期間を示す情報を設定する。この設定により、確定表示された特図２が所定期間停止表示され、特図２変動遊技の結果が遊技者に報知される。また、ＲＡＭ３０８に設けられた電サポ回数記憶部に記憶された電サポ回数が１以上であれば、その電サポ回数から１を減算し、減算結果が１から０となった場合は、特図確率変動中でなければ時短フラグをオフにする。さらに、大当り遊技中（特別遊技状態中）にも、時短フラグをオフにする。また、コマンド設定送信処理（ステップＳ２３３）で回転停止設定送信処理を実行させることを示す所定の送信情報を上述の送信情報記憶領域に追加記憶するとともに、変動表示を停止する図柄が特図２であることを示す特図２識別情報を、後述するコマンドデータに含める情報としてＲＡＭ３０８に追加記憶してから処理を終了する。
【０１０９】
また、特図２変動遊技の結果が大当りであれば、大当りフラグがオンにされる。この大当りフラグがオンの場合には、所定の停止表示期間が終了したタイミング（特図２停止時間管理用タイマの値が１から０になったタイミング）における特図２状態更新処理では、ＲＡＭ３０８の設定領域に特図２作動中を設定するとともに、所定の入賞演出期間（例えば３秒間）すなわち装飾図柄表示装置２０８による大当りを開始することを遊技者に報知する画像を表示している期間待機するために、ＲＡＭ３０８に設けた特図２待機時間管理用タイマの記憶領域に入賞演出期間を示す情報を設定する。また、コマンド設定送信処理（ステップＳ２３３）で入賞演出設定送信処理を実行させることを示す所定の送信情報を上述の送信情報記憶領域に追加記憶する。
【０１１０】
また、所定の入賞演出期間が終了したタイミング（特図２待機時間管理用タイマの値が１から０になったタイミング）で開始する特図２状態更新処理では、所定の開放期間（例えば２９秒間、または可変入賞口２３４に所定球数（例えば１０球）の遊技球の入賞を検出するまで）可変入賞口２３４の扉部材２３４ａの開閉駆動用のソレノイド（各種ソレノイド３３２の一部）に、扉部材２３４ａを開放状態に保持する信号を出力するとともに、ＲＡＭ３０８に設けた扉開放時間管理用タイマの記憶領域に開放期間を示す情報を設定する。また、コマンド設定送信処理（ステップＳ２３３）で大入賞口開放設定送信処理を実行させることを示す所定の送信情報を上述の送信情報記憶領域に追加記憶する。
【０１１１】
また、所定の開放期間が終了したタイミング（扉開放時間管理用タイマの値が１から０になったタイミング）で開始する特図２状態更新処理では、所定の閉鎖期間（例えば１．５秒間）可変入賞口２３４の扉部材２３４ａの開閉駆動用のソレノイド（各種ソレノイド３３２の一部）に、扉部材２３４ａを閉鎖状態に保持する信号を出力するとともに、ＲＡＭ３０８に設けた扉閉鎖時間管理用タイマの記憶領域に閉鎖期間を示す情報を設定する。また、コマンド設定送信処理（ステップＳ２３３）で大入賞口閉鎖設定送信処理を実行させることを示す所定の送信情報を上述の送信情報記憶領域に追加記憶する。
【０１１２】
また、扉部材２３４ａの開放・閉鎖制御を所定回数（本実施の形態では１５ラウンドか２ラウンド）繰り返し、終了したタイミングで開始する特図２状態更新処理では、所定の終了演出期間（例えば３秒間）すなわち装飾図柄表示装置２０８による大当りを終了することを遊技者に報知する画像を表示している期間待機するように設定するために、ＲＡＭ３０８に設けた演出待機時間管理用タイマの記憶領域に演出待機期間を示す情報を設定する。また、普図確率変動フラグがオンに設定されていれば、この大当り遊技の終了と同時に、ＲＡＭ３０８に設けられた電サポ回数記憶部に電サポ回数（例えば、１００回）をセットするともに、ＲＡＭ３０８に設けられた時短フラグをオンにする。なお、その普図確率変動フラグがオフに設定されていれば、電サポ回数記憶部に電サポ回数をセットすることもなく、また時短フラグをオンにすることもない。
【０１１３】
ここでの時短状態とは、特図変動遊技における大当りを終了してから、次の大当りを開始するまでの時間を短くするため、パチンコ機が遊技者にとって有利な状態になることをいう。この時短フラグがオンに設定されていると、普図高確率（普図確変）状態である。普図高確率状態では普図低確率状態に比べて、普図変動遊技で当りになる確率が高い。また、普図高確率状態の方が、普図低確率状態に比べて普図変動遊技の変動時間は短くなる（普図変短）。さらに、普図高確率状態では普図低確率状態に比べて、特図２始動口２３２の一対の羽根部材２３２ａの１回の開放における開放時間が長くなり易い（電チュー開延）。加えて、普図高確率状態では普図低確率状態に比べて、一対の羽根部材２３２ａは多く開き易い。これらの普図確変、普図変短、電チュー開延による制御状態をまとめて、電サポ（電動チューリップによる始動口入賞サポート）状態と呼ぶ。また、特図変動遊技の変動時間も短くする制御状態を含めて時短状態と呼ぶ。
【０１１４】
また、上述のごとく、時短フラグは、大当り遊技中（特別遊技状態中）にはオフに設定される。したがって、大当り遊技中には、普図低確率状態が維持される。これは、大当り遊技中に普図高確率状態であると、大当り遊技中に可変入賞口２３４に所定の個数、遊技球が入球するまでの間に特図２始動口２３２に多くの遊技球が入球し、大当り中に獲得することができる遊技球の数が多くなってしまい射幸性が高まってしまうという問題があり、これを解決するためのものである。
【０１１５】
さらに、コマンド設定送信処理（ステップＳ２３３）で終了演出設定送信処理を実行させることを示す所定の送信情報を上述の送信情報記憶領域に追加記憶する。
【０１１６】
また、所定の終了演出期間が終了したタイミング（演出待機時間管理用タイマの値が１から０になったタイミング）で開始する特図２状態更新処理では、ＲＡＭ３０８の設定領域に特図２非作動中を設定する。さらに、特図２変動遊技の結果がはずれであれば、はずれフラグ（第１はずれフラグまたは第２はずれフラグ）がオンにされる。このはずれフラグがオンの場合には、上述した所定の停止表示期間が終了したタイミング（特図２停止時間管理用タイマの値が１から０になったタイミング）における特図２状態更新処理でも、ＲＡＭ３０８の設定領域に特図２非作動中を設定する。特図２非作動中の場合における特図２状態更新処理では、何もせずに次の特図１状態更新処理（ステップＳ２２７）に移行するようにしている。
【０１１７】
続いて、特図１についての特図状態更新処理（特図１状態更新処理）を行う（ステップＳ２２７）。この特図１状態更新処理では、特図１の状態に応じて、上述の特図２状態更新処理で説明した各処理を行う。この特図１状態更新処理で行う各処理は、上述の特図２状態更新処理で説明した内容の「特図２」を「特図１」と読み替えた処理と同一であるため、その説明は省略する。なお、特図２状態更新処理と特図１状態更新処理の順番は逆でもよい。
【０１１８】
ステップＳ２２５およびステップＳ２２７における特図状態更新処理が終了すると、今度は、特図１および特図２それぞれについての特図関連抽選処理を行う。ここでも先に、特図２についての特図関連抽選処理（特図２関連抽選処理）を行い（ステップＳ２２９）、その後で、特図１についての特図関連抽選処理（特図１関連抽選処理）を行う（ステップＳ２３１）。特図２関連抽選処理は、特図１および２の状態がいずれも非作動中であり、かつ保留している特図２変動遊技の数が１以上であることを開始条件として、特図２乱数値記憶領域内の最先の特図２当選乱数値および特図２乱数値を用いて実行される。特図１関連抽選処理は、特図１および２の状態がいずれも非作動中であり、かつ保留している特図１変動遊技の数が１以上であることを開始条件として、特図１乱数値記憶領域内の最先の特図１当選乱数値および特図１乱数値を用いて実行される。これらの特図関連抽選処理についても、主制御部３００が特図２関連抽選処理を特図１関連抽選処理よりも先に行うことで、特図２変動遊技の開始条件と、特図１変動遊技の開始条件が同時に成立した場合でも、特図２変動遊技が先に変動中となるため、特図１変動遊技は変動を開始しない。また、特図２変動遊技の保留数が１以上である場合には、特図１変動遊技の保留に関する抽選処理や変動遊技は行われない。また、装飾図柄表示装置２０８による、特図変動遊技の当否判定の結果の報知は、第１副制御部４００によって行われ、特図２始動口２３２への入賞に基づく抽選の抽選結果の報知が、特図１始動口２３０への入賞に基づく抽選の抽選結果の報知よりも優先して行われる。
【０１１９】
ステップＳ２３１の次のステップＳ２３３では、コマンド設定送信処理を行い、各種のコマンドが第１副制御部４００に送信される。なお、第１副制御部４００に送信する出力予定情報は例えば１６ビットで構成しており、ビット１５はストローブ情報（オンの場合、データをセットしていることを示す）、ビット１１〜１４はコマンド種別（本実施の形態では、基本コマンド、図柄変動開始コマンド、図柄変動停止コマンド、入賞演出開始コマンド、終了演出開始コマンド、大当りラウンド数指定コマンド、復電コマンド、ＦＲＡＭクリアコマンドなどコマンドの種類を特定可能な情報）、ビット０〜１０はコマンドデータ（コマンド種別に対応する所定の情報）で構成している。
【０１２０】
具体的には、ストローブ情報は上述のコマンド送信処理でオンまたはオフになるようにしている。また、コマンド種別が図柄変動開始（回転開始）コマンドの場合であればコマンドデータに、１５Ｒ大当りフラグや２Ｒ大当りフラグ、第１小当りフラグ、第２小当りフラグ、第１はずれフラグ、第２はずれフラグ、特図確率変動フラグの値、特図関連抽選処理で選択したタイマ番号などを示す情報を含み、図柄変動停止（回転停止）コマンドの場合であれば、１５Ｒ大当りフラグや２Ｒ大当りフラグ、第１小当りフラグ、第２小当りフラグ、第１はずれフラグ、第２はずれフラグ、特図確率変動フラグの値などを含み、入賞演出コマンドおよび終了演出開始コマンドの場合であれば、特図確率変動フラグの値などを含み、大当りラウンド数指定コマンドの場合であれば特図確率変動フラグの値、大当りラウンド数などを含むようにしている。コマンド種別が基本コマンドを示す場合は、コマンドデータにデバイス情報、特図１始動口２３０への入賞の有無、特図２始動口２３２への入賞の有無、可変入賞口２３４への入賞の有無などを含む。
【０１２１】
また、上述の回転開始設定送信処理では、コマンドデータにＲＡＭ３０８に記憶している、１５Ｒ大当りフラグや２Ｒ大当りフラグ、第１小当りフラグ、第２小当りフラグ、第１はずれフラグ、第２はずれフラグ、特図確率変動フラグの値、特図１関連抽選処理および特図２関連抽選処理で選択したタイマ番号、保留している特図１変動遊技または特図２変動遊技の数などを示す情報を設定する。上述の回転停止設定送信処理では、コマンドデータにＲＡＭ３０８に記憶している、１５Ｒ大当りフラグや２Ｒ大当りフラグ、第１小当りフラグ、第２小当りフラグ、第１はずれフラグ、第２はずれフラグ、特図確率変動フラグの値などを示す情報を設定する。上述の入賞演出設定送信処理では、コマンドデータに、ＲＡＭ３０８に記憶している、入賞演出期間中に装飾図柄表示装置２０８・各種ランプ４１８・スピーカ１２０に出力する演出制御情報、特図確率変動フラグの値、保留している特図１変動遊技または特図２変動遊技の数などを示す情報を設定する。上述の終了演出設定送信処理では、コマンドデータに、ＲＡＭ３０８に記憶している、演出待機期間中に装飾図柄表示装置２０８・各種ランプ４１８・スピーカ１２０に出力する演出制御情報、特図確率変動フラグの値、保留している特図１変動遊技または特図２変動遊技の数などを示す情報を設定する。上述の大入賞口開放設定送信処理では、コマンドデータにＲＡＭ３０８に記憶している大当りラウンド数、特図確率変動フラグの値、保留している特図１変動遊技または特図２変動遊技の数などを示す情報を設定する。上述の大入賞口閉鎖設定送信処理では、コマンドデータにＲＡＭ３０８に記憶している大当りラウンド数、特図確率変動フラグの値、保留している特図１変動遊技または特図２変動遊技の数などを示す情報を設定する。
【０１２２】
また、このステップＳ２３３では一般コマンド特図保留増加処理も行われる。この一般コマンド特図保留増加処理では、コマンドデータにＲＡＭ３０８の送信用情報記憶領域に記憶している特図識別情報（特図１または特図２を示す情報）、予告情報（事前予告情報、偽事前予告情報、または事前予告無情報のいずれか）を設定する。
【０１２３】
第１副制御部４００では、受信した出力予定情報に含まれるコマンド種別により、主制御部３００における遊技制御の変化に応じた演出制御の決定が可能になるとともに、出力予定情報に含まれているコマンドデータの情報に基づいて、演出制御内容を決定することができるようになる。
【０１２４】
ステップＳ２３３の次のステップＳ２３５では、外部出力信号設定処理を行う。この外部出力信号設定処理では、ＲＡＭ３０８に記憶している遊技情報を、情報出力回路３３６を介してパチンコ機１００とは別体の情報入力回路３５０に出力する。
【０１２５】
ステップＳ２３５の次のステップＳ２３７では、デバイス監視処理を行う。このデバイス監視処理では、ステップＳ２０５において信号状態記憶領域に記憶した各種センサの信号状態を読み出して、所定のエラーの有無、例えば前面枠扉開放エラーの有無または下皿満タンエラーの有無などを監視する。前面枠扉開放エラーまたは下皿満タンエラーを検出した場合には、第１副制御部４００に送信すべき送信情報に、前面枠扉開放エラーの有無または下皿満タンエラーの有無を示すデバイス情報を設定する。また、各種ソレノイド３３２を駆動して特図２始動口２３２や、可変入賞口２３４の開閉を制御したり、駆動回路３２４、３２６、３３０を介して普図表示装置２１０、特図１表示装置２１２、特図２表示装置２１４、各種状態表示部３２８などに出力する表示データを、Ｉ／Ｏ３１０の出力ポートに設定する。また、払出要求数送信処理（ステップＳ２１９）で設定した出力予定情報を出力ポート（Ｉ／Ｏ３１０）を介して第１副制御部４００に出力する。
【０１２６】
ステップＳ２３７の次のステップＳ２３９では、低電圧信号がオンであるか否かを監視する。そして、低電圧信号がオンの場合（電源の遮断を検知した場合）にはステップＳ２４３に進み、低電圧信号がオフの場合（電源の遮断を検知していない場合）にはステップＳ２４１に進む。ステップＳ２４１では、タイマ割込終了処理を行う。このタイマ割込終了処理では、ステップＳ２０１で一時的に退避した各レジスタの値を元の各レジスタに設定したり、割込許可の設定などを行い、その後、図８に示す主制御部メイン処理に復帰する。一方、ステップＳ２４３では、復電時に電断時の状態に復帰するための特定の変数やスタックポインタを復帰データとしてＲＡＭ３０８の所定の領域に退避し、入出力ポートの初期化等の電断処理を行い、その後、図８に示す主制御部メイン処理に復帰する。
【０１２７】
次に、図１０を用いて、第１副制御部４００の処理について説明する。図１０（ａ）は、第１副制御部４００のＣＰＵ４０４が実行するメイン処理の流れを示すフローチャートである。まず、図１０（ａ）のステップＳ３０１では、各種の初期設定を行う。電源投入が行われると、まずステップＳ３０１で初期化処理が実行される。この初期化処理では、入出力ポートの初期設定や、ＲＡＭ４０８内の記憶領域の初期化処理等を行う。
【０１２８】
ステップＳ３０１の次のステップＳ３０３では、タイマ変数が１０以上か否かを判定し、タイマ変数が１０となるまでこの処理を繰り返し、タイマ変数が１０以上となったときには、ステップＳ３０５の処理に移行する。ステップＳ３０５では、タイマ変数に０を代入する。
【０１２９】
ステップＳ３０５の次のステップＳ３０７では、コマンド処理を行う。第１副制御部４００のＣＰＵ４０４は、主制御部３００からコマンドを受信したか否かを判別する。
【０１３０】
ステップＳ３０７の次のステップＳ３０９では、演出制御処理を行う。例えば、ステップＳ３０７で新たなコマンドがあった場合には、このコマンドに対応する演出データをＲＯＭ４０６から読み出す等の処理を行い、演出データの更新が必要な場合には演出データの更新処理を行う。
【０１３１】
ステップＳ３０９の次のステップＳ３１１では、チャンスボタン制御処理を行う。チャンスボタン制御処理では、チャンスボタン１３６の押下を検出していた場合、ステップＳ３０９で更新した演出データをチャンスボタン１３６の押下に応じた演出データに変更する処理を行う。
【０１３２】
ステップＳ３１１の次のステップＳ３１３では、音制御処理を行う。音制御処理では、ステップＳ３０９で読み出した演出データの中に音源ＩＣ４１６への命令がある場合には、この命令を音源ＩＣ４１６に出力する。
【０１３３】
ステップＳ３１３の次のステップＳ３１５では、ランプ制御処理を行う。ランプ制御処理では、ステップＳ３０９で読み出した演出データの中に各種ランプ４１８への命令がある場合には、この命令を駆動回路４２０に出力する。
【０１３４】
ステップＳ３１５の次のステップＳ３１７では、可動体制御処理を行う。可動体制御処理では、ステップＳ３０９で読み出した演出データの中に演出可動体２２４への命令がある場合には、この命令を駆動回路４２２に出力する。
【０１３５】
ステップＳ３１７の次のステップＳ３１９では、情報送信処理を行う。情報送信処理では、ステップＳ３０９で読み出した演出データの中に第２副制御部５００に送信する制御コマンドがある場合には、この制御コマンドを出力する設定を行う。その後、ステップＳ３０３に戻る。
【０１３６】
図１０（ｂ）は、第１副制御部４００のＣＰＵ４０４が実行する第１副制御部コマンド受信割込処理（ストローブ割込処理）の流れを示すフローチャートである。このコマンド受信割込処理は、第１副制御部４００が主制御部３００からのストローブ信号を検出した場合に実行する処理である。コマンド受信割込処理のステップＳ４０１では、主制御部３００から受信したコマンドを未処理コマンドとしてＲＡＭ４０８に設けたコマンド記憶領域に記憶する。
【０１３７】
図１０（ｃ）は、第１副制御部４００のＣＰＵ４０４が実行する第１副制御部タイマ割込処理の流れを示すフローチャートである。第１副制御部４００は、所定の周期（本例では２ｍｓに１回）でタイマ割込を発生するハードウェアタイマを備えており、このタイマ割込を契機として、タイマ割込処理を所定の周期で実行する。第１副制御部タイマ割込処理のステップＳ５０１では、第１副制御部メイン処理のステップＳ３０３において説明したＲＡＭ４０８のタイマ変数記憶領域の値に、１を加算して元のタイマ変数記憶領域に記憶する。したがって、ステップＳ３０３において、タイマ変数の値が１０以上と判定されるのは２０ｍｓ毎（２ｍｓ×１０）となる。
【０１３８】
ステップＳ５０１の次のステップＳ５０３では、第１副制御部メイン処理の情報送信処理（ステップＳ３１９）で設定された第２副制御部５００への制御コマンドの送信や、その他演出用乱数値の更新処理等を行う。
【０１３９】
次に、図１１乃至図１８を用いて、第２副制御部５００の処理について説明する。図１１（ａ）は、第２副制御部５００のＣＰＵが実行するメイン処理のフローチャートである。まず、図１１（ａ）のステップＳ６０１では、各種の初期設定を行う。電源投入が行われると、まずステップＳ６０１で初期化処理が実行される。この初期化処理では、入出力ポートの初期設定や、ＲＡＭ内の記憶領域の初期化処理等を行う。
【０１４０】
ステップＳ６０１の次のステップＳ６０３では、タイマ変数が１０以上か否かを判定し、タイマ変数が１０となるまでこの処理を繰り返し、タイマ変数が１０以上となったときには、ステップＳ６０５の処理に移行する。ステップＳ６０５では、タイマ変数に０を代入する。
【０１４１】
ステップＳ６０５の次のステップＳ６０７では、コマンド処理を行う。第２副制御部５００のＣＰＵは、第１副制御部４００からコマンドを受信したか否かを判別する。
【０１４２】
ステップＳ６０７の次のステップＳ６０９では、演出制御処理を行う。例えば、ステップＳ６０７で新たなコマンドがあった場合には、このコマンドに対応する演出データをＲＯＭから読み出す等の処理を行い、演出データの更新が必要な場合には演出データの更新処理を行う。
【０１４３】
ステップＳ６０９の次のステップＳ６１１では、画像制御処理を行う。例えば、ステップＳ６０９で読み出した演出データの中に第２副制御部５００が備えるＶＤＰへの命令がある場合には、この命令をＶＤＰに出力する。
【０１４４】
ステップＳ６１１の次のステップＳ６１３では、シャッタ制御処理を行う。例えば、ステップＳ６０９で読み出した演出データの中に遮蔽装置２４６への命令がある場合には、この命令をモータドライバＩＣ５０２に出力する。その後、ステップＳ６０３に戻る。
【０１４５】
図１１（ｂ）は、第２副制御部５００のＣＰＵが実行するコマンド受信割込処理のフローチャートである。このコマンド受信割込処理は、第２副制御部５００が第１副制御部４００からのストローブ信号を検出した場合に実行する処理である。コマンド受信割込処理のステップＳ７０１では、第１副制御部４００から受信したコマンドを未処理コマンドとしてＲＡＭに設けたコマンド記憶領域に記憶する。
【０１４６】
図１１（ｃ）は、第２副制御部５００のＣＰＵが実行するタイマ割込処理のフローチャートである。第２副制御部５００は、所定の周期（本例では２ｍｓに１回）でタイマ割込を発生するハードウェアタイマを備えており、このタイマ割込を契機として、タイマ割込処理を所定の周期で実行する。ステップＳ８０１では、図１１（ａ）に示す第２副制御部メイン処理のステップＳ６０３において説明したＲＡＭのタイマ変数記憶領域の値に、１を加算して元のタイマ変数記憶領域に記憶する。したがって、ステップＳ６０３において、タイマ変数の値が１０以上と判定されるのは２０ｍｓ毎（２ｍｓ×１０）となる。ステップＳ８０１の次のステップＳ８０３では、演出用乱数値の更新処理等を行う。
【０１４７】
図１２は、第２副制御部５００およびモータドライバＩＣ５０２により実行される遮蔽装置２４６の動作モードフラグ設定処理（サブ変動開始時処理）の流れの一例を示すフローチャートである。動作モードフラグ設定処理は、特図１または２の変動遊技の開始時に第１副制御部４００から送信される予告コマンドを受信したことを契機として開始される。まずステップＳ１００１では、受信した予告コマンドに応じて動作モード（動作データ）を設定する処理を行う。図１３を用いて後述するように、本例では、動作モード１（片方モード（上））、動作モード２（片方モード（下））、動作モード３（非同期モード）および動作モード４（同期モード）の４つのうちいずれかが動作モードとして設定される。
【０１４８】
ステップＳ１００１の次のステップＳ１００３では、設定した動作モードに対応する動作モードフラグをオンに設定する。本例では、第２副制御部５００のＲＡＭには動作モード１フラグ、動作モード２フラグ、動作モード３フラグおよび動作モード４フラグの４つの動作モードフラグが設けられており、設定した動作モードが動作モード１であれば動作モード１フラグをオンに設定し、動作モード２であれば動作モード２フラグをオンに設定し、動作モード３であれば動作モード３フラグをオンに設定し、動作モード４であれば動作モード４フラグをオンに設定する。その後、当該割込みでの動作モードフラグ設定処理を終了する。
【０１４９】
図１３は、第１副制御部４００から受信した予告コマンドと遮蔽装置２４６のモータ動作モードとの対応の一例を示している。ここで本例では、第１副制御部４００は、特図変動遊技の当否結果に基づいて予告コマンド１〜４のいずれかを選択し、選択した予告コマンドを当該特図変動遊技の開始時に第２副制御部５００に送信する。予告コマンド１および２は、当否結果が当りのときに選択される確率が比較的低く、当否結果がはずれのときに選択される確率が比較的高くなっている（信頼度低）。予告コマンド３は、当否結果が当りのときに選択される確率が予告コマンド１および２よりも高く、当否結果がはずれのときに選択される確率が予告コマンド１および２よりも低くなっている（信頼度中）。予告コマンド４は、当否結果が当りのときに選択される確率が予告コマンド３よりもさらに高く、当否結果がはずれのときに選択される確率が予告コマンド３よりもさらに低くなっている（信頼度高）。なお、各予告コマンドの信頼度は、当否結果が当りのときに選択される確率と、当否結果がはずれのときに選択される確率とのうち少なくとも一方を変えることによって設定すればよい。
【０１５０】
第１副制御部４００から予告コマンド１を受信した場合、第２副制御部５００では、モータ動作モードとして動作モード１（片方モード（上））が設定される。動作モード１は、左右の上シャッタ（左上扉２４６ａ、右上扉２４６ｂ）のみが動作する動作モードである。後述するように動作モード１では、各シャッタが初期位置に戻るとき、光センサ７２０、７２２により遮光板７３０ａ、７３０ｂが検知されたタイミングで残ステップ数が設定される。動作モード１では、上シャッタに対して動作データ１が設定される。
【０１５１】
第１副制御部４００から予告コマンド２を受信した場合、第２副制御部５００では、モータ動作モードとして動作モード２（片方モード（下））が設定される。動作モード２は、左右の下シャッタ（左下扉２４６ｃ、右下扉２４６ｄ）のみが動作する動作モードである。後述するように動作モード２では、各シャッタが初期位置に戻るとき、光センサ７２０、７２２により遮光板７３０ｃ、７３０ｄが検知されたタイミングで残ステップ数が設定される。動作モード２では、下シャッタに対して動作データ１が設定される。
【０１５２】
第１副制御部４００から予告コマンド３を受信した場合、第２副制御部５００では、モータ動作モードとして動作モード３（非同期モード）が設定される。動作モード３は、左右の上シャッタ（左上扉２４６ａ、右上扉２４６ｂ）と、左右の下シャッタ（左下扉２４６ｃ、右下扉２４６ｄ）とが非同期（例えば不規則）に動作する動作モードである。後述するように動作モード３では、各シャッタが初期位置に戻るとき、上シャッタを戻してから下シャッタを戻すように制御される。動作モード３では、上シャッタに対して動作データ１が設定され、下シャッタに対して動作データ２が設定される。
【０１５３】
第１副制御部４００から予告コマンド４を受信した場合、第２副制御部５００では、モータ動作モードとして動作モード４（同期モード）が設定される。動作モード４は、左右の上シャッタ（左上扉２４６ａ、右上扉２４６ｂ）と、左右の下シャッタ（左下扉２４６ｃ、右下扉２４６ｄ）とが変動開始から同期して動作する動作モードである。動作モード４では、上シャッタおよび下シャッタの双方に対して動作データ２が設定される。
【０１５４】
動作モード１〜４以外のモータ動作モードとして、初期動作モード（上）および初期動作モード（下）がある。初期動作モード（上）は、左右の上シャッタの初期動作を行うとき（例えば、電源投入時、上シャッタの異常検出時等）に設定される動作モードであり、上シャッタに対して動作データ３が設定される。初期動作モード（下）は、左右の下シャッタの初期動作を行うとき（例えば、電源投入時、下シャッタの異常検出時等）に設定される動作データであり、下シャッタに対して動作データ３が設定される。
【０１５５】
図１４は、動作データ１〜３の内容の例を示すテーブルである。各動作データは、正面視左側のシャッタ（左上扉２４６ａ、左下扉２４６ｃ）用のデータと、正面視右側のシャッタ（右上扉２４６ｂ、右下扉２４６ｄ）用のデータとによって構成されている。本例では正面視左側のシャッタと正面視右側のシャッタとを左右対称に動作させるため、正面視左側のシャッタ用のデータおよび正面視右側のシャッタ用のデータは左右対称のデータになっている。
【０１５６】
動作データ１は、初期位置（本例では全開位置）からスタートする正面視左側のシャッタ用のデータとして、「右に１００ステップ」（第１ステップデータ）、「左に５０ステップ」（第２ステップデータ）、「右に１００ステップ」（第３ステップデータ）、「左に１５０ステップ」（第４ステップデータ）というこの順に設定される４つのステップデータを含んでいる。ここで、第４ステップデータの「左に１５０ステップ」は最終ステップデータであり、左上扉２４６ａまたは左下扉２４６ｃを、遮光板７３０ａまたは７３０ｃが光センサ７２０により検知される位置よりも右側の位置から、遮光板７３０ａまたは７３０ｃが光センサ７２０により検知される位置を経由して初期位置に戻すためのデータである。すなわち、左上扉２４６ａまたは左下扉２４６ｃが第４ステップデータに基づいて駆動される場合、その途中で必ず遮光板７３０ａまたは７３０ｃが光センサ７２０により検知される。
【０１５７】
また動作データ１は、初期位置（本例では全開位置）からスタートする正面視右側のシャッタ用のデータとして、「左に１００ステップ」（第１ステップデータ）、「右に５０ステップ」（第２ステップデータ）、「左に１００ステップ」（第３ステップデータ）、「右に１５０ステップ」（第４ステップデータ）というこの順に設定される４つのステップデータを含んでいる。ここで、第４ステップデータの「右に１５０ステップ」は最終ステップデータであり、右上扉２４６ｂまたは右下扉２４６ｄを、遮光板７３０ｂまたは７３０ｄが光センサ７２２により検知される位置よりも左側の位置から、遮光板７３０ｂまたは７３０ｄが光センサ７２２により検知される位置を経由して初期位置に戻すためのデータである。すなわち、右上扉２４６ｂまたは右下扉２４６ｄが第４ステップデータに基づいて駆動される場合、その途中で必ず遮光板７３０ｂまたは７３０ｄが光センサ７２２により検知される。
【０１５８】
動作データ２は、初期位置（本例では全開位置）からスタートする正面視左側のシャッタ用のデータとして、「右に８０ステップ」（第１ステップデータ）、「左に２０ステップ」（第２ステップデータ）、「右に９０ステップ」（第３ステップデータ）、「左に１５０ステップ」（第４ステップデータ）というこの順に設定される４つのステップデータを含んでいる。ここで、第４ステップデータの「左に１５０ステップ」は最終ステップデータであり、左上扉２４６ａまたは左下扉２４６ｃを、遮光板７３０ａまたは７３０ｃが光センサ７２０により検知される位置よりも右側の位置から、遮光板７３０ａまたは７３０ｃが光センサ７２０により検知される位置を経由して初期位置に戻すためのデータである。すなわち、左上扉２４６ａまたは左下扉２４６ｃが第４ステップデータに基づいて駆動される場合、その途中で必ず遮光板７３０ａまたは７３０ｃが光センサ７２０により検知される。
【０１５９】
また動作データ２は、初期位置（本例では全開位置）からスタートする正面視右側のシャッタ用のデータとして、「左に８０ステップ」（第１ステップデータ）、「右に２０ステップ」（第２ステップデータ）、「左に９０ステップ」（第３ステップデータ）、「右に１５０ステップ」（第４ステップデータ）というこの順に設定される４つのステップデータを含んでいる。ここで、第４ステップデータの「右に１５０ステップ」は最終ステップデータであり、右上扉２４６ｂまたは右下扉２４６ｄを、遮光板７３０ｂまたは７３０ｄが光センサ７２２により検知される位置よりも左側の位置から、遮光板７３０ｂまたは７３０ｄが光センサ７２２により検知される位置を経由して初期位置に戻すためのデータである。すなわち、右上扉２４６ｂまたは右下扉２４６ｄが第４ステップデータに基づいて駆動される場合、その途中で必ず遮光板７３０ｂまたは７３０ｄが光センサ７２２により検知される。
【０１６０】
動作データ３は、正面視左側のシャッタ用のデータとして、「右に５０ステップ」（第１ステップデータ）、「左に１５０ステップ」（第２ステップデータ）というこの順に設定される２つのステップデータを含んでいる。ここで、第１ステップデータの「右に５０ステップ」は、左上扉２４６ａまたは左下扉２４６ｃを、遮光板７３０ａまたは７３０ｃが光センサ７２０により検知される位置よりも右側の位置に確実に移動させるためのデータである。第２ステップデータの「左に１５０ステップ」は最終ステップデータであり、左上扉２４６ａまたは左下扉２４６ｃを、第１ステップデータによって移動した位置から、遮光板７３０ａまたは７３０ｃが光センサ７２０により検知される位置を経由して初期位置に戻すためのデータである。すなわち、左上扉２４６ａまたは左下扉２４６ｃが第４ステップデータに基づいて駆動される場合、その途中で必ず遮光板７３０ａまたは７３０ｃが光センサ７２０により検知される。
【０１６１】
また動作データ３は、正面視右側のシャッタ用のデータとして、「左に５０ステップ」（第１ステップデータ）、「右に１５０ステップ」（第２ステップデータ）というこの順に設定される２つのステップデータを含んでいる。ここで、第１ステップデータの「左に５０ステップ」は、右上扉２４６ｂまたは右下扉２４６ｄを、遮光板７３０ｂまたは７３０ｄが光センサ７２２により検知される位置よりも左側の位置に確実に移動させるためのデータである。第２ステップデータの「右に１５０ステップ」は最終ステップデータであり、右上扉２４６ｂまたは右下扉２４６ｄを、第１ステップデータによって移動した位置から、遮光板７３０ａまたは７３０ｃが光センサ７２０により検知される位置を経由して初期位置に戻すためのデータである。すなわち、右上扉２４６ｂまたは右下扉２４６ｄが第４ステップデータに基づいて駆動される場合、その途中で必ず遮光板７３０ｂまたは７３０ｄが光センサ７２２により検知される。
【０１６２】
本例では、動作データ１〜３のいずれにおいても、正面視左側のシャッタと正面視右側のシャッタは左右対称の動作を行うようになっている。すなわち、左上扉２４６ａと右上扉２４６ｂは左右対称の動作を行い、左下扉２４６ｃと右下扉２４６ｄは左右対称の動作を行う。したがって以下の説明では、正面視左側のシャッタ（左上扉２４６ａ、左下扉２４６ｃ）の動作のみを例に挙げる場合がある。
【０１６３】
図１５は、第２副制御部５００およびモータドライバＩＣ５０２により実行されるモータ動作モード設定処理の流れの一例を示すフローチャートである。第２副制御部５００は、通常のタイマ割込信号とは別のタイマ割込信号を所定の周期（本例では、約５００μｓに１回）で生成するカウンタタイマを備えており、第２副制御部５００およびモータドライバＩＣ５０２はこのタイマ割込信号を契機としてモータ動作モード設定処理を所定の周期で開始する。
【０１６４】
まずステップＳ１１０１では、いずれかの動作モードフラグがオンであるか否かを判定する。動作モードフラグのいずれかがオンであればステップＳ１１０３に進み、動作モードフラグがいずれもオフであれば当該割込みでのモータ動作モード設定処理を終了する。
【０１６５】
ステップＳ１１０３では、モータドライバＩＣ出力処理を行う。モータドライバＩＣ出力処理の詳細については図１６を用いて後述する。
【０１６６】
ステップＳ１１０３の次のステップＳ１１０５では、オンに設定されている動作モードフラグに基づいて動作モード別処理を行う。本例では、動作モード１フラグがオンに設定されていれば動作モード別処理（モード１）を行い、動作モード２フラグがオンに設定されていれば動作モード別処理（モード２）を行い、動作モード３フラグがオンに設定されていれば動作モード別処理（モード３）を行い、動作モード４フラグがオンに設定されていれば動作モード別処理（モード４）を行う。動作モード別処理の詳細については図１７乃至図２０を用いて後述する。ステップＳ１１０５の動作モード別処理が終了したら、当該割込みでのモータ動作モード設定処理を終了する。
【０１６７】
図１６は、モータドライバＩＣ出力処理（図１５のステップＳ１１０３）の流れの一例を示すフローチャートである。まずステップＳ１２０１では、動作データのいずれかがセット済であるか否かを判定する。動作データがセット済でなければステップＳ１２０３に進み、動作データがセット済であればステップＳ１２０５に進む。
【０１６８】
ステップＳ１２０３では、動作モードに対応する初期ステップデータをセットする。ここで、初期ステップデータとは、各動作データにおける第１ステップデータである。例えば、動作モード１（片方モード（上））が設定されている場合、上シャッタ（左上扉２４６ａ、右上扉２４６ｂ）について動作データ１の第１ステップデータをセットする。すなわち、左上扉２４６ａに対しては左側のシャッタ用の第１ステップデータ「右に１００ステップ」がセットされ、右上扉２４６ｂに対しては右側のシャッタ用の第１ステップデータ「左に１００ステップ」がセットされる。初期ステップデータをセットしたらステップＳ１２０５に進む。
【０１６９】
ステップＳ１２０５では、ＲＡＭ内の記憶領域に記憶されている所定の変数Ｎ（初期値は０）の値に１を加算して元の記憶領域に記憶する。
【０１７０】
ステップＳ１２０５の次のステップＳ１２０７では、変数Ｎの値が所定値Ｎ１に等しいか否かを判定する。変数Ｎの値が所定値Ｎ１に等しい場合にはステップＳ１２０９に進み、変数Ｎの値が所定値Ｎ１よりも小さい場合には当該割込みでのモータドライバＩＣ出力処理を終了する。
【０１７１】
ステップＳ１２０９では、対象のステッピングモータに対し、当該モータを所定方向に回転させるパルス電流を１パルス出力する。例えば、左上扉２４６ａについて動作データ１の第１ステップデータ「右に１００ステップ」がセットされている場合、左上扉２４６ａを駆動するステッピングモータに対し、左上扉２４６ａを右方向に移動させるための回転方向に回転させるパルス電流を１パルス出力する。また、右上扉２４６ｂについて動作データ１の第１ステップデータ「左に１００ステップ」がセットされている場合、右上扉２４６ｂを駆動するステッピングモータに対し、右上扉２４６ｂを左方向に移動させるための回転方向に回転させるパルス電流を１パルス出力する。
【０１７２】
ここで、所定値Ｎ１は、ステッピングモータに対するパルス出力の間隔を決定する値であり、パルス出力はＮ１割込み毎（本例では、Ｎ１×５００μｓ毎）に行われる。所定値Ｎ１が大きいほどパルス出力の間隔が長くなるため、ステッピングモータの回転速度は遅くなる。所定値Ｎ１が小さいほどパルス出力の間隔が短くなるため、ステッピングモータの回転速度は速くなる。例えば、Ｎ１を２に設定した場合、１ｍｓ毎にパルスが出力されるため１０００ｐｐｓとなり、Ｎ１を４に設定した場合、２ｍｓ毎にパルスが出力されるため５００ｐｐｓとなる。また、本実施の形態では所定値Ｎ１が定数であるため、ステッピングモータの回転速度は一定であるが、ステッピングモータを加減速させるようにしてもよい。例えば、ステッピングモータを加速させる場合には、所定値Ｎ１をパルス出力の度に減少するように処理すればよく、ステッピングモータを減速させる場合には、所定値Ｎ１をパルス出力の度に増加するように処理すればよい。
【０１７３】
ステップＳ１２０９の次のステップＳ１２１１では、変数Ｎの値に０を代入して元の記憶領域に記憶する。
【０１７４】
ステップＳ１２１１の次のステップＳ１２１３では、パルス出力数が所定値（セットされているステップデータのステップ数）であるか否かを判定する。例えば、左上扉２４６ａについて動作データ１の第１ステップデータ「右に１００ステップ」がセットされている場合、パルス出力数が１００であるか否かを判定する。パルス出力数が所定値であると判定した場合にはステップＳ１２１５に進み、パルス出力数が所定値未満であると判定した場合には当該割込みでのモータドライバＩＣ出力処理を終了する。
【０１７５】
ステップＳ１２１５では、セットされているステップデータに対し次ステップデータがあるか否かを判定する。例えば左上扉２４６ａについて、動作データ１の第１ステップデータ「右に１００ステップ」には次ステップデータとして第２ステップデータ「左に５０ステップ」が存在するが、動作データ１の第４ステップデータ「左に１５０ステップ」や動作データ３の第２ステップデータ「左に１５０ステップ」は最終ステップデータであるため次ステップデータが存在しない。次ステップデータがある場合にはステップＳ１２１７に進み、次ステップデータがない場合にはステップＳ１２１９に進む。
【０１７６】
ステップＳ１２１７では、セットされているステップデータに代えて次ステップデータをセットし、当該割込みでのモータドライバＩＣ出力処理を終了する。
【０１７７】
ステップＳ１２１９では、セットされている動作データをクリアして、当該割込みでのモータドライバＩＣ出力処理を終了する。
【０１７８】
図１７乃至図２０は、動作モード毎に異なる動作モード別処理（図１５のステップＳ１１０５）の流れの一例をそれぞれ示すフローチャートである。図１７は動作モード１で実行される動作モード別処理（モード１）の流れを示し、図１８は動作モード２で実行される動作モード別処理（モード２）の流れを示し、図１９は動作モード３で実行される動作モード別処理（モード３）の流れを示し、図２０は動作モード４で実行される動作モード別処理（モード４）の流れを示している。
【０１７９】
まず、図１７に示す動作モード別処理（モード１）について説明する。ここで、動作モード１（片方モード（上））では、上シャッタ（左上扉２４６ａ、右上扉２４６ｂ）について動作データ１が設定される（図１３参照）。以下、左上扉２４６ａに対する動作モード別処理（モード１）について説明する。
【０１８０】
まずステップＳ１３０１では、左上扉２４６ａについて所定のステップデータ（本例では、動作データ１の最終ステップデータである第４ステップデータ「左に１５０ステップ」）がセット中であるか否かを判定する。所定のステップデータがセット中であればステップＳ１３０３に進み、所定のステップデータがセット中でなければ当該割込みでの動作モード別処理（モード１）を終了する。
【０１８１】
ステップＳ１３０３では、左上扉２４６ａについて、後述する残ステップデータ（上）（初期値は０）がＲＡＭ内の所定の記憶領域にあるか否か（１以上であるか否か）を判定する。残ステップデータ（上）が０である場合にはステップＳ１３０５に進む。
【０１８２】
ステップＳ１３０５では、左上扉２４６ａの遮光板７３０ａを光センサ７２０により検知しているか否かを判定する。遮光板７３０ａを検知している場合にはステップＳ１３０７に進み、遮光板７３０ａを検知していない場合には当該割込みでの動作モード別処理（モード１）を終了する。
【０１８３】
ステップＳ１３０７では、ＲＡＭ内の残ステップデータ（上）を「５」に設定して元の記憶領域に記憶する。残ステップデータ（上）は、左上扉２４６ａを、遮光板７３０ａが検知される位置から初期位置に確実に戻すために設定されるデータである。既に説明したように、遮光板７３０ａは、左上扉２４６ａが初期位置から右に５ステップまでの位置にあるときに光センサ７２０により検知される。したがって、遮光板７３０ａが検知された時点で残ステップデータ（上）を「５」に設定することによって、左上扉２４６ａをより確実に初期位置に戻すことができる。残ステップデータ（上）を設定したら当該割込みでの動作モード別処理（モード１）を終了する。
【０１８４】
一方、ステップＳ１３０３において残ステップデータ（上）が１以上である場合には、ステップＳ１３０９に進む。ステップＳ１３０９では、当該割込みでのモータドライバＩＣ出力処理において、左上扉２４６ａを駆動するステッピングモータにパルス電流が出力されたか否かを判定する。パルス電流が出力された場合にはステップＳ１３１１に進み、パルス電流が出力されていない場合には当該割込みでの動作モード別処理（モード１）を終了する。
【０１８５】
ステップＳ１３１１では、ＲＡＭ内の残ステップデータ（上）の値から１を減算して元の記憶領域に記憶する。
【０１８６】
ステップＳ１３１１の次のステップＳ１３１３では、残ステップデータ（上）が０であるか否かを判定する。残ステップデータ（上）が０である場合にはステップＳ１３１５に進み、残ステップデータ（上）が０でない場合には当該割込みでの動作モード別処理（モード１）を終了する。
【０１８７】
ステップＳ１３１５では、ＲＡＭに設けられた動作モード１フラグをオフに設定する。その後、動作モード別処理（モード１）を終了する。
【０１８８】
次に、図１８に示す動作モード別処理（モード２）について説明する。ここで、動作モード２（片方モード（下））では、下シャッタ（左下扉２４６ｃ、右下扉２４６ｄ）について動作データ１が設定される（図１３参照）。すなわち、動作モード２は、動作データ１を上シャッタではなく下シャッタに設定する点で動作モード１と異なっている。以下、左下扉２４６ｃに対する動作モード別処理（モード２）について説明する。
【０１８９】
まずステップＳ１４０１では、左下扉２４６ｃについて所定のステップデータ（本例では、動作データ１の最終ステップデータである第４ステップデータ「左に１５０ステップ」）がセット中であるか否かを判定する。所定のステップデータがセット中であればステップＳ１４０３に進み、所定のステップデータがセット中でなければ当該割込みでの動作モード別処理（モード２）を終了する。
【０１９０】
ステップＳ１４０３では、左下扉２４６ｃについて、後述する残ステップデータ（下）（初期値は０）がＲＡＭ内の所定の記憶領域にあるか否か（１以上であるか否か）を判定する。残ステップデータ（下）が０である場合にはステップＳ１４０５に進む。
【０１９１】
ステップＳ１４０５では、左下扉２４６ｃの遮光板７３０ｃを光センサ７２０により検知しているか否かを判定する。遮光板７３０ｃを検知している場合にはステップＳ１４０７に進み、遮光板７３０ｃを検知していない場合には当該割込みでの動作モード別処理（モード２）を終了する。
【０１９２】
ステップＳ１４０７では、ＲＡＭ内の残ステップデータ（下）を「２１」に設定して元の記憶領域に記憶する。残ステップデータ（下）は、左下扉２４６ｃを、遮光板７３０ｃが検知される位置から初期位置に確実に戻すために設定されるデータである。左下扉２４６ｃと左上扉２４６ａとは遮光板の取付位置が異なるため、ステップＳ１４０７で設定される残ステップデータ（下）の値は、ステップＳ１３０７で設定される残ステップデータ（上）の値とは異なっている。既に説明したように、遮光板７３０ｃは、左下扉２４６ｃが初期位置から右に１１ステップ乃至２１ステップの位置にあるときに光センサ７２０により検知される。したがって、遮光板７３０ｃが検知された時点で残ステップデータ（下）を「２１」に設定することによって、左下扉２４６ｃをより確実に初期位置に戻すことができる。残ステップデータ（下）を設定したら当該割込みでの動作モード別処理（モード２）を終了する。
【０１９３】
一方、ステップＳ１４０３において残ステップデータ（下）が１以上である場合には、ステップＳ１４０９に進む。ステップＳ１４０９では、当該割込みでのモータドライバＩＣ出力処理において、左下扉２４６ｃを駆動するステッピングモータにパルス電流が出力されたか否かを判定する。パルス電流が出力された場合にはステップＳ１４１１に進み、パルス電流が出力されていない場合には当該割込みでの動作モード別処理（モード２）を終了する。
【０１９４】
ステップＳ１４１１では、ＲＡＭ内の残ステップデータ（下）の値から１を減算して元の記憶領域に記憶する。
【０１９５】
ステップＳ１４１１の次のステップＳ１４１３では、残ステップデータ（下）が０であるか否かを判定する。残ステップデータ（下）が０である場合にはステップＳ１４１５に進み、残ステップデータ（下）が０でない場合には当該割込みでの動作モード別処理（モード２）を終了する。
【０１９６】
ステップＳ１４１５では、ＲＡＭに設けられた動作モード２フラグをオフに設定する。その後、動作モード別処理（モード２）を終了する。
【０１９７】
次に、図１９に示す動作モード別処理（モード３）について説明する。ここで、動作モード３（非同期モード）では、上シャッタ（左上扉２４６ａおよび右上扉２４６ｂ）について動作データ１が設定され、下シャッタ（左下扉２４６ｃおよび右下扉２４６ｄ）について動作データ２が設定される（図１３参照）。
【０１９８】
動作モード別処理（モード３）は、基本的には、上シャッタについての動作モード別処理（モード１）と、下シャッタについての動作モード別処理（モード２）との組合せである。動作モード別処理（モード３）では、まずステップＳ１５０１で動作モード別処理（モード１）を行い、次にステップＳ１５０３で動作モード別処理（モード２）を行う。すなわち、各扉を初期位置に戻すときには、先に上シャッタを初期位置に戻し、その後に下シャッタを初期位置に戻す。図１９には示していないが、下シャッタを初期位置に戻した後には、動作モード３フラグがオフに設定される。
【０１９９】
次に、図２０に示す動作モード別処理（モード４）について説明する。ここで、動作モード４（同期モード）では、上シャッタ（左上扉２４６ａ、右上扉２４６ｂ）および下シャッタ（左下扉２４６ｃ、右下扉２４６ｄ）の双方について動作データ２が設定される（図１３参照）。以下、左上扉２４６ａおよび左下扉２４６ｃに対する動作モード別処理（モード４）について説明する。
【０２００】
まずステップＳ１６０１では、左上扉２４６ａおよび左下扉２４６ｃについて所定のステップデータ（本例では、動作データ２の最終ステップデータである第４ステップデータ「左に１５０ステップ」）がセット中であるか否かを判定する。所定のステップデータがセット中であればステップＳ１６０３に進み、所定のステップデータがセット中でなければ当該割込みでの動作モード別処理（モード４）を終了する。
【０２０１】
ステップＳ１６０３では、左上扉２４６ａについての残ステップデータ（上）および左下扉２４６ｃについての残ステップデータ（下）がＲＡＭ内の所定の記憶領域にあるか否か（１以上であるか否か）を判定する。残ステップデータ（上）および残ステップデータ（下）がいずれも０である場合にはステップＳ１６０５に進む。
【０２０２】
ステップＳ１６０５では、左下扉２４６ｃの遮光板７３０ｃを光センサ７２０により検知しているか否かを判定する。遮光板７３０ｃを検知している場合にはステップＳ１６０７に進み、遮光板７３０ｃを検知していない場合には当該割込みでの動作モード別処理（モード４）を終了する。なお本例では、同期モードにおいて、最終ステップデータがセットされてから最初に検知した遮光板は左下扉２４６ｃの遮光板７３０ｃと判断し、その検知がオフになった後、次に検知した遮光板は左上扉２４６ａの遮光板７３０ａと判断する（図２４（ａ）、（ｂ）等参照）。
【０２０３】
ここで、最初に検知した遮光板の検知ステップ数（検知期間）が所定数を超えた場合には、次に検知されるべき遮光板が重なって検知されていると判断し、電源投入時と同じ初期動作を行ってもよい。また、本例では遮光板７３０ａ、７３０ｃの左右方向の幅（検知可能なステップ数）はいずれも１１ステップ分であるが、遮光板７３０ａ、７３０ｃの検知可能なステップ数を異ならせてもよい。遮光板７３０ａ、７３０ｃ検知可能なステップ数を異ならせれば、検知ステップ数を判定することによって遮光板７３０ａ、７３０ｃのいずれを検知しているかを認識することが可能であり、遮光板７３０ａ、７３０ｃの位置制御をより正確に行うことができる。
【０２０４】
ステップＳ１６０７では、ＲＡＭ内の残ステップデータ（上）および残ステップデータ（下）をそれぞれ「２１」に設定して元の記憶領域に記憶する。既に説明したように、遮光板７３０ｃは、左下扉２４６ｃが初期位置から右に１１ステップ乃至２１ステップの位置にあるときに光センサ７２０により検知される。また、左上扉２４６ａおよび左下扉２４６ｃは互いに同期して動作している。したがって、遮光板７３０ｃが検知された時点で残ステップデータ（上）および残ステップデータ（下）をそれぞれ「２１」に設定することによって、左上扉２４６ａおよび左下扉２４６ｃをより確実に初期位置に戻すことができる。その後、当該割込みでの動作モード別処理（モード４）を終了する。
【０２０５】
一方、ステップＳ１６０３において残ステップデータ（上）および残ステップデータ（下）が１以上である場合には、ステップＳ１６０９に進む。ステップＳ１６０９では、当該割込みでのモータドライバＩＣ出力処理において、左上扉２４６ａを駆動するステッピングモータおよび左下扉２４６ｃを駆動するステッピングモータにパルス電流が出力されたか否かを判定する。パルス電流が出力された場合にはステップＳ１６１１に進み、パルス電流が出力されていない場合にはステップＳ１６１３に進む。
【０２０６】
ステップＳ１６１１では、ＲＡＭ内の残ステップデータ（上）および残ステップデータ（下）の値からそれぞれ１を減算して元の記憶領域に記憶する。その後、ステップＳ１６１３に進む。
【０２０７】
ステップＳ１６１３では、残ステップデータ（下）が０であるか否かを判定する。残ステップデータ（下）が０でない場合にはステップＳ１６１５に進み、残ステップデータ（下）が０である場合には当該割込みでの動作モード別処理（モード４）を終了する。
【０２０８】
ステップＳ１６１５では、残ステップデータ（上）が５よりも大きいか否かを判定する。残ステップデータ（上）が５よりも大きい場合には、ステップＳ１６１７に進む。
【０２０９】
ステップＳ１６１７では、左上扉２４６ａの遮光板７３０ａを当該割込みよりも前に既に検知済であるか否かを判定する。遮光板７３０ａを検知済でない場合にはステップＳ１６１９に進み、遮光板７３０ａを検知済である場合には当該割込みでの動作モード別処理（モード４）を終了する。
【０２１０】
ステップＳ１６１９では、左上扉２４６ａの遮光板７３０ａを当該割込みの時点で検知しているか否かを判定する。遮光板７３０ａを検知している場合にはステップＳ１６２１に進み、遮光板７３０ａを検知していない場合には当該割込みでの動作モード別処理（モード４）を終了する。
【０２１１】
ステップＳ１６２１では、ＲＡＭ内の残ステップデータ（上）を「５」に設定して元の記憶領域に記憶する。この処理によって、左上扉２４６ａの遮光板７３０ａを予定よりも早く検知した場合の残ステップデータ（上）の補正が行われる。既に説明したように、遮光板７３０ａは、左上扉２４６ａが初期位置から右に５ステップまでの位置にあるときに光センサ７２０により検知される。したがって、遮光板７３０ａが検知された時点で残ステップデータ（上）を「５」に設定することによって、左上扉２４６ａをより確実に初期位置に戻すことができる。
【０２１２】
一方、ステップＳ１６１５で残ステップデータ（上）が５以下である場合には、ステップＳ１６２３に進む。ステップＳ１６２３では、残ステップデータ（上）が５であるか否かを判定する。残ステップデータ（上）が５である場合にはステップＳ１６２５に進み、残ステップデータ（上）が５でない場合にはステップＳ１６２９に進む。
【０２１３】
ステップＳ１６２５では、左上扉２４６ａの遮光板７３０ａを検知しているか否かを判定する。遮光板７３０ａを検知している場合には、左上扉２４６ａおよび左下扉２４６ｃが相対的な位置関係を保持して正常に動作していると判断できるため、そのまま当該割込みでの動作モード別処理（モード４）を終了する。遮光板７３０ａを検知していない場合には、少なくとも左上扉２４６ａが正常に動作していないと判断できるため、初期動作（上）処理を行う（ステップＳ１６２７）。この初期動作（上）処理では、図１３に示す初期動作モード（上）と同様に上シャッタ（左上扉２４６ａ、右上扉２４６ｂ）に対して動作データ３を設定する。動作データ３の最終ステップデータによって上シャッタを初期位置に戻す際には、図１７に示す動作モード別処理（モード１）と同様の処理を行う。なお、ステップＳ１６２７において、下シャッタ（左下扉２４６ｃ、右下扉２４６ｄ）に対する初期動作（下）処理を併せて行ってもよい。初期動作（下）処理では、図１３に示す初期動作モード（下）と同様に下シャッタに対して動作データ３を設定する。動作データ３の最終ステップデータによって下シャッタを初期位置に戻す際には、図１８に示す動作モード別処理（モード２）と同様の処理を行う。
【０２１４】
ここで、残ステップデータ（上）が５になっても左上扉２４６ａの遮光板７３０ａを検知しない場合、ステップＳ１６２７の初期動作（上）処理に代えて、遮光板７３０ａを検知するまで、左上扉２４６ａを左方向に移動させる駆動制御を継続してもよい。駆動制御の継続により遮光板７３０ａを検知したら、その時点で残ステップデータ（上）を「５」に設定する。
【０２１５】
ステップＳ１６２９では、残ステップデータ（上）が０であるか否かを判定する。残ステップデータ（上）が０である場合には、左上扉２４６ａが初期位置に戻ったと判断できるため、動作モード４フラグをオフに設定し（ステップＳ１６３１）、動作モード別処理（モード４）を終了する。残ステップデータ（上）が０でない場合には、そのまま当該割込みでの動作モード別処理（モード４）を終了する。
【０２１６】
次に、本実施の形態における遮蔽装置２４６の具体的動作例について説明する。図２１（ａ）〜（ｆ）は、動作モード１（片方モード（上））における遮蔽装置２４６の動作を時系列で示している。図２１（ａ）〜（ｆ）の左列は、遮蔽装置２４６および装飾図柄表示装置２０８を正面（表）側から見た状態を示し、右列は遮蔽装置２４６のうち右上扉２４６ｂおよび右下扉２４６ｄを背面（裏）側から見た状態を示している。図２２（ａ）は、図２１（ｅ）の右上扉２４６ｂおよび右下扉２４６ｄを背面側から見た状態を拡大して示し、図２２（ｂ）は、図２１（ｆ）の右上扉２４６ｂおよび右下扉２４６ｄを背面側から見た状態を拡大して示している。
【０２１７】
図２１（ａ）は、装飾図柄表示装置２０８の図柄表示領域２０８ａ〜２０８ｃに、はずれを報知する所定の図柄組合せ（例えば「装飾７−装飾１−装飾１」）が停止表示されている状態を示している。この状態では、遮蔽装置２４６の左上扉２４６ａ、右上扉２４６ｂ、左下扉２４６ｃおよび右下扉２４６ｄはいずれも初期位置（開状態）にある。このため、装飾図柄表示装置２０８の表示画面は、その全域が遊技者により視認容易な状態にある。
【０２１８】
所定の停止表示期間が経過すると、図２１（ｂ）に示すように、次の特図変動遊技が開始される。特図変動遊技が開始されると、第１副制御部４００から受信した予告コマンドに基づく第２副制御部５００の制御によって、装飾図柄表示装置２０８および遮蔽装置２４６で所定のリーチ演出が行われる。本例では、装飾図柄表示装置２０８の表示画面に殿キャラクタ画像８００が表示される演出が行われ、それと同期して遮蔽装置２４６の左上扉２４６ａおよび右上扉２４６ｂが左右対称に開閉動作する演出が行われる。殿キャラクタ画像８００は、装飾図柄表示装置２０８の表示画面ほぼ中央（例えば、中図柄表示領域２０８ｂに対応する位置）に表示される。左上扉２４６ａは、まず動作データ１の第１ステップデータ（図１４参照）に基づき、初期位置から右に１００ステップ移動する閉動作を行う。これにより、装飾図柄表示装置２０８の表示画面の左上四半分のうち、左寄りの２／３程度が左上扉２４６ａによって遮蔽される。また右上扉２４６ｂは、動作データ１の第１ステップデータに基づき、初期位置から左に１００ステップ移動する閉動作を行う。これにより、装飾図柄表示装置２０８の表示画面の右上四半分のうち、右寄りの２／３程度が右上扉２４６ｂによって遮蔽される。ここで、殿キャラクタ画像８００は表示画面の中央に表示されているため、左上扉２４６ａおよび右上扉２４６ｂによって遮蔽されることなく視認可能になっている。
【０２１９】
次に、図２１（ｃ）に示すように、左上扉２４６ａは、動作データ１の第２ステップデータに基づき、右に１００ステップの位置から左に５０ステップ移動する開動作を行う。この移動が終了した時点では、左上扉２４６ａは初期位置から右に５０ステップの位置にある。すなわちこの時点では、装飾図柄表示装置２０８の表示画面の左上四半分のうち、左寄りの１／３程度が左上扉２４６ａによって遮蔽される。また右上扉２４６ｂは、動作データ１の第２ステップデータに基づき、左に１００ステップの位置から右に５０ステップ移動する開動作を行う。この移動が終了した時点では、右上扉２４６ｂは初期位置から左に５０ステップの位置にある。すなわちこの時点では、装飾図柄表示装置２０８の表示画面の右上四半分のうち、右寄りの１／３程度が右上扉２４６ｂによって遮蔽される。
【０２２０】
次に、図２１（ｄ）に示すように、左上扉２４６ａは、動作データ１の第３ステップデータに基づき、右に５０ステップの位置から右に１００ステップ移動する閉動作を行う。この移動が終了した時点では、左上扉２４６ａは初期位置から右に１５０ステップの位置（閉状態）にある。すなわちこの時点では、装飾図柄表示装置２０８の表示画面の左上四半分は、その全域が左上扉２４６ａによって遮蔽される。また右上扉２４６ｂは、動作データ１の第３ステップデータに基づき、左に５０ステップの位置から左に１００ステップ移動する閉動作を行う。この移動が終了した時点では、右上扉２４６ｂは初期位置から左に１５０ステップの位置（閉状態）にある。すなわちこの時点では、装飾図柄表示装置２０８の表示画面の右上四半分は、その全域が右上扉２４６ｂによって遮蔽される。これにより、装飾図柄表示装置２０８の表示画面の上半分が左上扉２４６ａおよび右上扉２４６ｂによって遮蔽され、殿キャラクタ画像８００の頭部（顔）が視認困難になる。
【０２２１】
次に、左上扉２４６ａは、動作データ１の第４ステップデータ（最終ステップデータ）に基づき、右に１５０ステップの位置から左に１５０ステップ移動する開動作を行う。この移動中において、ステッピングモータの脱調や無端ベルト７０６ａの滑り等が生じていなければ、図２１（ｅ）に示すように、左に１４５ステップ移動した位置（すなわち、初期位置から右に５ステップの位置）で左上扉２４６ａの遮光板７３０ａが光センサ７２０により検知され始める。遮光板７３０ａが光センサ７２０により検知されると、第４ステップデータよりも優先される左上扉２４６ａについての残ステップデータ（上）が「５」に設定される（図１７のステップＳ１３０７）。なお、残ステップデータ（上）が設定された場合であっても、移動方向は第４ステップデータの移動方向（本例では左）に維持される。
【０２２２】
同様に、右上扉２４６ｂは、動作データ１の第４ステップデータ（最終ステップデータ）に基づき、左に１５０ステップの位置から右に１５０ステップ移動する開動作を行う。この移動中において、ステッピングモータの脱調や無端ベルト７０６ｂの滑り等が生じていなければ、図２１（ｅ）および図２２（ａ）に示すように、右に１４５ステップ移動した位置（すなわち、初期位置から左に５ステップの位置）で右上扉２４６ｂの遮光板７３０ｂが光センサ７２２により検知される。遮光板７３０ｂが光センサ７２２により検知されると、第４ステップデータよりも優先される右上扉２４６ｂについての残ステップデータ（上）が「５」に設定される。なお、残ステップデータ（上）が設定されても移動方向は第４ステップデータの移動方向（本例では右）に維持される。
【０２２３】
このとき、装飾図柄表示装置２０８の表示画面は、左上四半分のうちの左端の一部および右上四半分のうちの右端の一部が遮蔽されているだけであるため、ほぼ全体が視認可能になっている。本例では、左上扉２４６ａおよび右上扉２４６ｂの開動作によって表示画面のほぼ全体が視認可能になるのと同期して、殿キャラクタ画像８００を挟んで両側に位置する左図柄表示領域２０８ａおよび右図柄表示領域２０８ｃのそれぞれに、「装飾７」の図柄が停止表示される。
【０２２４】
その後、図２１（ｆ）に示すように、左上扉２４６ａは、残ステップデータ（上）に基づき、右に５ステップの位置から左にさらに５ステップ移動する。これにより、左上扉２４６ａは初期位置に戻る。また図２１（ｆ）および図２２（ｂ）に示すように、右上扉２４６ｂは、残ステップデータ（上）に基づき、左に５ステップの位置から右に５ステップ移動する。これにより、右上扉２４６ｂは初期位置に戻る。
【０２２５】
左上扉２４６ａおよび右上扉２４６ｂが初期位置に戻ることにより、装飾図柄表示装置２０８の表示画面の全体が視認可能になる。これと同期して、殿キャラクタ画像８００の表示に代えて、中図柄表示領域２０８ｂに「装飾７」の図柄が停止表示される。これにより、図柄表示領域２０８ａ〜２０８ｃには、１５Ｒ特別大当りを報知する図柄組合せ「装飾７−装飾７−装飾７」が確定表示される。
【０２２６】
次に、本実施の形態における遮蔽装置２４６の動作の他の例について説明する。図２３（ａ）〜（ｇ）は、動作モード４（同期モード）における遮蔽装置２４６の動作を時系列で示している。図２３（ａ）〜（ｇ）の左列は、遮蔽装置２４６および装飾図柄表示装置２０８を正面側から見た状態を示し、右列は遮蔽装置２４６のうち右上扉２４６ｂおよび右下扉２４６ｄを背面側から見た状態を示している。図２４（ａ）は、図２３（ｅ）の右上扉２４６ｂおよび右下扉２４６ｄを背面側から見た状態を拡大して示し、図２４（ｂ）は、図２３（ｆ）の右上扉２４６ｂおよび右下扉２４６ｄを背面側から見た状態を拡大して示している。また、図２３（ｇ）の右上扉２４６ｂおよび右下扉２４６ｄを背面側から見た状態は、図２２（ｂ）と同様である。
【０２２７】
図２３（ａ）は、装飾図柄表示装置２０８の図柄表示領域２０８ａ〜２０８ｃに、はずれを報知する所定の図柄組合せ（例えば「装飾７−装飾１−装飾１」）が停止表示されている状態を示している。この状態では、遮蔽装置２４６の左上扉２４６ａ、右上扉２４６ｂ、左下扉２４６ｃおよび右下扉２４６ｄはいずれも初期位置（開状態）にある。このため、装飾図柄表示装置２０８の表示画面は、その全域が遊技者により視認容易な状態にある。
【０２２８】
所定の停止表示期間が経過すると、図２３（ｂ）に示すように、次の特図変動遊技が開始される。特図変動遊技が開始されると、第１副制御部４００から受信した予告コマンドに基づく第２副制御部５００の制御によって、装飾図柄表示装置２０８および遮蔽装置２４６で所定のリーチ演出が行われる。本例では、装飾図柄表示装置２０８の表示画面に殿キャラクタ画像８００が表示される演出が行われ、それと同期して遮蔽装置２４６の上シャッタおよび下シャッタが左右対称に開閉動作する演出が行われる。殿キャラクタ画像８００は、装飾図柄表示装置２０８の表示画面ほぼ中央（中図柄表示領域２０８ｂに対応する位置）に表示される。
【０２２９】
左上扉２４６ａおよび左下扉２４６ｃは、動作データ２の第１ステップデータ（図１４参照）に基づき、初期位置から右に８０ステップ移動する閉動作を互いに同期して行う。これにより、装飾図柄表示装置２０８の表示画面の左半分のうち、左寄りの８／１５程度が左上扉２４６ａおよび左下扉２４６ｃによって遮蔽される。この閉動作では、左上扉２４６ａの動作の前端縁となる右端辺２４７ａと、左下扉２４６ｃの動作の前端縁となる右端辺２４７ｃとが直線状に連続する状態が維持されており、左上扉２４６ａおよび左下扉２４６ｃは互いの相対的な位置関係を保持している。
【０２３０】
右上扉２４６ｂおよび右下扉２４６ｄは、動作データ２の第１ステップデータに基づき、初期位置から左に８０ステップ移動する閉動作を互いに同期して行う。これにより、装飾図柄表示装置２０８の表示画面の右半分のうち、右寄りの８／１５程度が右上扉２４６ｂおよび右下扉２４６ｄによって遮蔽される。この閉動作では、右上扉２４６ｂの動作の前端縁となる左端辺２４７ｂと、右下扉２４６ｄの動作の前端縁となる左端辺２４７ｄとが直線状に連続する状態が維持されており、右上扉２４６ｂおよび右下扉２４６ｄは互いの相対的な位置関係を保持している。
【０２３１】
ここで、殿キャラクタ画像８００は表示画面の中央に表示されているため、左上扉２４６ａ、右上扉２４６ｂ、左下扉２４６ｃおよび右下扉２４６ｄによって遮蔽されることなく視認可能になっている。
【０２３２】
次に、図２３（ｃ）に示すように、左上扉２４６ａおよび左下扉２４６ｃは、動作データ２の第２ステップデータに基づき、右に８０ステップの位置から左に２０ステップ移動する開動作を互いに同期して行う。この開動作では、左上扉２４６ａの動作の後端縁となる右端辺２４７ａと、左下扉２４６ｃの動作の後端縁となる右端辺２４７ｃとが直線状に連続する状態が維持されており、左上扉２４６ａおよび左下扉２４６ｃは互いの相対的な位置関係を保持している。この開動作が終了した時点では、左上扉２４６ａおよび左下扉２４６ｃは初期位置から右に６０ステップの位置にある。すなわちこの時点では、装飾図柄表示装置２０８の表示画面の左半分のうち、左寄りの６／１５程度が左上扉２４６ａおよび左下扉２４６ｃによって遮蔽される。
【０２３３】
右上扉２４６ｂおよび右下扉２４６ｄは、動作データ２の第２ステップデータに基づき、左に８０ステップの位置から右に２０ステップ移動する開動作を互いに同期して行う。この開動作では、右上扉２４６ｂの動作の後端縁となる左端辺２４７ｂと、右下扉２４６ｄの動作の後端縁となる左端辺２４７ｄとが直線状に連続する状態が維持されており、右上扉２４６ｂおよび右下扉２４６ｄは互いの相対的な位置関係を保持している。この開動作が終了した時点では、右上扉２４６ｂおよび右下扉２４６ｄは初期位置から左に６０ステップの位置にある。すなわちこの時点では、装飾図柄表示装置２０８の表示画面の右半分のうち、右寄りの６／１５程度が右上扉２４６ｂおよび右下扉２４６ｄによって遮蔽される。
【０２３４】
次に、図２３（ｄ）に示すように、左上扉２４６ａおよび左下扉２４６ｃは、動作データ２の第３ステップデータに基づき、右に６０ステップの位置から右に９０ステップ移動する閉動作を互いに同期して行う。この閉動作では、左上扉２４６ａの動作の前端縁となる右端辺２４７ａと、左下扉２４６ｃの動作の前端縁となる右端辺２４７ｃとが直線状に連続する状態が維持されており、左上扉２４６ａおよび左下扉２４６ｃは互いの相対的な位置関係を保持している。この閉動作が終了した時点では、左上扉２４６ａおよび左下扉２４６ｃは初期位置から右に１５０ステップの位置（閉状態）にある。すなわちこの時点では、装飾図柄表示装置２０８の表示画面の左半分は、その全域が左上扉２４６ａおよび左下扉２４６ｃによって遮蔽される。
【０２３５】
また、右上扉２４６ｂおよび右下扉２４６ｄは、動作データ２の第３ステップデータに基づき、左に６０ステップの位置から左に９０ステップ移動する閉動作を互いに同期して行う。この閉動作では、右上扉２４６ｂの動作の前端縁となる左端辺２４７ｂと、右下扉２４６ｄの動作の前端縁となる左端辺２４７ｄとが直線状に連続する状態が維持されており、右上扉２４６ｂおよび右下扉２４６ｄは互いの相対的な位置関係を保持している。この閉動作が終了した時点では、右上扉２４６ｂおよび右下扉２４６ｄは初期位置から左に１５０ステップの位置（閉状態）にある。すなわちこの時点では、装飾図柄表示装置２０８の表示画面の右半分は、その全域が右上扉２４６ｂおよび右下扉２４６ｄによって遮蔽される。
【０２３６】
これにより、装飾図柄表示装置２０８の表示画面は、左上扉２４６ａ、右上扉２４６ｂ、左下扉２４６ｃおよび右下扉２４６ｄによって遮蔽され、全域が視認困難となる。本例の演出では、装飾図柄表示装置２０８には、当該変動の期待度が高いことを示唆する「激アツ」という文字メッセージが表示される。
【０２３７】
次に、左上扉２４６ａおよび左下扉２４６ｃは、動作データ２の第４ステップデータ（最終ステップデータ）に基づき、右に１５０ステップの位置から左に１５０ステップ移動する開動作を互いに同期して行う。この開動作では、左上扉２４６ａの動作の後端縁となる右端辺２４７ａと、左下扉２４６ｃの動作の後端縁となる右端辺２４７ｃとが直線状に連続する状態が維持されており、左上扉２４６ａおよび左下扉２４６ｃは互いの相対的な位置関係を保持している。この移動中において、ステッピングモータの脱調や無端ベルト７０６ａ、７０６ｃの滑り等が生じていなければ、図２３（ｅ）に示すように、左上扉２４６ａおよび左下扉２４６ｃが左に１２９ステップ移動した位置（すなわち、初期位置から右に２１ステップの位置）で左下扉２４６ｃの遮光板７３０ｃが光センサ７２０により検知される。遮光板７３０ｃが光センサ７２０により検知されると、第４ステップデータよりも優先される左上扉２４６ａについての残ステップデータ（上）および左下扉２４６ｃについての残ステップデータ（下）がそれぞれ「２１」に設定される（図２０のステップＳ１６０７）。
【０２３８】
同様に、右上扉２４６ｂおよび右下扉２４６ｄは、動作データ２の第４ステップデータ（最終ステップデータ）に基づき、左に１５０ステップの位置から右に１５０ステップ移動する開動作を互いに同期して行う。この開動作では、右上扉２４６ｂの動作の後端縁となる左端辺２４７ｂと、右下扉２４６ｄの動作の後端縁となる左端辺２４７ｄとが直線状に連続する状態が維持されており、右上扉２４６ｂおよび右下扉２４６ｄは互いの相対的な位置関係を保持している。この移動中において、ステッピングモータの脱調や無端ベルト７０６ｂ、７０６ｄの滑り等が生じていなければ、図２３（ｅ）および図２４（ａ）に示すように、右上扉２４６ｂおよび右下扉２４６ｄが右に１２９ステップ移動した位置（すなわち、初期位置から左に２１ステップの位置）で右下扉２４６ｄの遮光板７３０ｄが光センサ７２２により検知される。遮光板７３０ｄが光センサ７２２により検知されると、第４ステップデータよりも優先される右上扉２４６ｂについての残ステップデータ（上）および右下扉２４６ｄについての残ステップデータ（下）がそれぞれ「２１」に設定される。
【０２３９】
その後、左上扉２４６ａおよび左下扉２４６ｃは、残ステップデータ（上）および残ステップデータ（下）に基づき、右に２１ステップの位置から左にさらに移動する。この移動中において、左上扉２４６ａおよび左下扉２４６ｃが左に１１ステップ移動した位置（すなわち、初期位置から右に１０ステップの位置）で左下扉２４６ｃの遮光板７３０ｃが光センサ７２０により検知されなくなる（検知がオフになる）。その後、図２３（ｆ）に示すように、左上扉２４６ａおよび左下扉２４６ｃがさらに左に５ステップ移動した位置（すなわち、初期位置から右に５ステップの位置）で、今度は左上扉２４６ａの遮光板７３０ａが光センサ７２０により検知される。遮光板７３０ａが光センサ７２０により検知されると、左上扉２４６ａについての残ステップデータ（上）は、その時点での値に関わらず「５」に設定される（図２０のステップＳ１６２１）。左下扉２４６ｃについての残ステップデータ（下）は変更されないが、ステッピングモータの脱調や無端ベルト７０６ｃの滑り等が生じていなければ、この時点で残ステップデータ（上）と同じ「５」である。
【０２４０】
同様に、右上扉２４６ｂおよび右下扉２４６ｄは、残ステップデータ（上）および残ステップデータ（下）に基づき、左に２１ステップの位置から右にさらに移動する。この移動中において、右上扉２４６ｂおよび右下扉２４６ｄが右に１１ステップ移動した位置（すなわち、初期位置から左に１０ステップの位置）で右下扉２４６ｄの遮光板７３０ｄが光センサ７２２により検知されなくなる。その後、図２３（ｆ）および図２４（ｂ）に示すように、右上扉２４６ｂおよび右下扉２４６ｄがさらに右に５ステップ移動した位置（すなわち、初期位置から左に５ステップの位置）で、今度は右上扉２４６ｂの遮光板７３０ｂが光センサ７２２により検知される。遮光板７３０ｂが光センサ７２２により検知されると、右上扉２４６ｂについての残ステップデータ（上）は、その時点での値に関わらず「５」に設定される。右下扉２４６ｄについての残ステップデータ（下）は変更されないが、ステッピングモータの脱調や無端ベルト７０６ｄの滑り等が生じていなければ、この時点で残ステップデータ（上）と同じ「５」である。
【０２４１】
このとき、装飾図柄表示装置２０８の表示画面は、左半分のうちの左端の一部および右半分のうちの右端の一部が遮蔽されているだけであるため、ほぼ全体が視認可能になっている。本例では、左上扉２４６ａおよび左下扉２４６ｃと右上扉２４６ｂおよび右下扉２４６ｄとの開動作によって表示画面のほぼ全体が視認可能になるのと同期して、殿キャラクタ画像８００を挟んで両側に位置する左図柄表示領域２０８ａおよび右図柄表示領域２０８ｃのそれぞれに「装飾７」の図柄が停止表示される。
【０２４２】
その後、図２３（ｇ）に示すように、左上扉２４６ａおよび左下扉２４６ｃは、残ステップデータ（上）および残ステップデータ（下）に基づき、右に５ステップの位置から左にさらに５ステップ移動する。これにより、左上扉２４６ａおよび左下扉２４６ｃは初期位置に戻る。また、右上扉２４６ｂおよび右下扉２４６ｄは、残ステップデータ（上）および残ステップデータ（下）に基づき、左に５ステップの位置から右に５ステップ移動する。これにより、右上扉２４６ｂおよび右下扉２４６ｄは初期位置に戻る（図２２（ｂ）と同じ状態）。
【０２４３】
左上扉２４６ａ、右上扉２４６ｂ、左下扉２４６ｃおよび右下扉２４６ｄが初期位置に戻ることにより、装飾図柄表示装置２０８の表示画面の全体が視認可能になる。これと同期して、殿キャラクタ画像８００の表示に代えて、中図柄表示領域２０８ｂに「装飾７」の図柄が停止表示される。これにより、図柄表示領域２０８ａ〜２０８ｃには、１５Ｒ特別大当りを報知する図柄組合せ「装飾７−装飾７−装飾７」が確定表示される。
【０２４４】
図示を省略するが、初期動作モード（上）における遮蔽装置２４６の動作は、左上扉２４６ａおよび右上扉２４６ｂが初期位置に戻る途中に遮光板７３０ａ、７３０ｂが検知されたときに残ステップデータ「５」が設定される点で、片方モード（上）の図２１（ｅ）、（ｆ）と同様である。
【０２４５】
図２５は、本実施の形態によるパチンコ機１００における複数の可動体の変形例を示す図である。本変形例では、複数の可動体として、所定の間隙を介して左右方向に隣り合う２つの回転可動体９００、９１０が例えば演出装置２０６に設けられている。また演出装置２０６には、２つの回転可動体９００、９１０の角度位置を検知するための１つの光センサ９２０が設けられている。光センサ９２０は断面コの字型の形状を有しており、一端側の発光部と他端側の受光部とは空間を介して互いに左右方向に対向している。
【０２４６】
回転可動体９００は円板形状を有し、演出装置２０６に対して回転軸９０２を中心として回転自在に取り付けられている。回転軸９０２には、回転可動体９００を回転駆動させるステッピングモータの出力軸が接続されている。回転可動体９００の正面側（遊技者側）の表面のほぼ中心には、「特」という文字が記されている。この文字により回転可動体９００の正角度位置が定義される。すなわち、「特」という文字が傾斜または反転せずに表される状態での角度位置が回転可動体９００の正角度位置となる。回転可動体９００の外周部のうち周方向の一部（所定の角度範囲）には、遮光板９０４が背面側に突出して設けられている。例えば遮光板９０４は、回転可動体９００が正角度位置にあるときに光センサ９２０により検知されるようになっている。
【０２４７】
回転可動体９１０は、回転可動体９００と同一の円板形状を有し、演出装置２０６に対して回転軸９１２を中心として回転自在に取り付けられている。回転軸９１２には、回転可動体９１０を回転駆動させるステッピングモータの出力軸が接続されている。回転可動体９１０の正面側（遊技者側）の表面のほぼ中心には、「訓」という文字が記されている。この文字により回転可動体９１０の正角度位置が定義される。すなわち、「訓」という文字が傾斜または反転せずに表される状態での角度位置が回転可動体９１０の正角度位置となる。回転可動体９００、９１０の双方が正角度位置にあるときには、「特訓」という熟語が傾斜または反転せずに表される。回転可動体９１０の外周部のうち周方向の一部（所定の角度範囲）には、遮光板９１４が背面側に突出して設けられている。例えば遮光板９１４は、回転可動体９１０が正角度位置にあるときには光センサ９２０により検知されず、正角度位置から、遮光板９１４の形成されている角度範囲を超える角度で反時計回りに回転したときに光センサ９２０により検知されるようになっている。
【０２４８】
本実施の形態によるステッピングモータの制御は、本変形例のように、相対的な角度位置を保持する必要性がある複数の回転可動体９００、９１０にも同様に適用できる。
【０２４９】
以上説明したように、本実施の形態によるパチンコ機１００は、所定の演出動作を行う複数の可動体（例えば、左上扉２４６ａ、左下扉２４６ｃ）と、前記複数の可動体を動作させる駆動手段（例えば、左上扉２４６ａ、左下扉２４６ｃのそれぞれを駆動するステッピングモータ）と、前記駆動手段を制御する駆動制御手段（例えば、第２副制御部５００、モータドライバＩＣ５０２）とを備えた遊技台であって、一の検知手段（例えば、光センサ７２０）と、前記複数の可動体の各々に被検知手段（例えば、遮光板７３０ａ、７３０ｃ）とを備え、前記駆動制御手段は、前記一の検知手段による前記複数の被検知手段の検知（例えば、光センサ７２０による遮光板７３０ａ、７３０ｃの検知）に基づき前記複数の可動体を所定位置（例えば、初期位置）に制御することを特徴とする。
【０２５０】
この構成によれば、１つの検知手段で複数の可動体の位置を制御できるため、興趣を向上できる場合がある。また、１つの検知手段で複数の可動体の位置を制御できるため、検知手段の個数を削減でき、コスト削減効果が得られる場合もある。ここで、上記の所定位置は初期位置に限らず、可動体の動作の終端であってもよい。上記の可動体は、例えば演出表示手段（パチンコ機であれば装飾図柄表示装置、スロットマシンであればシャッタ後方の液晶表示装置等）の前側（遊技者側）で動作可能である。
【０２５１】
また、本実施の形態によるパチンコ機１００は、前記可動体の動作パターンとして、前記検知手段による前記被検知手段の検知順序が定められている前記可動体の複数の動作パターン（例えば、動作モード１〜４）から一の動作パターン（例えば、動作モード４（同期モード））を決定する動作パターン決定手段（例えば、第２副制御部５００、予告コマンドに応じて動作モードを設定する処理（ステップＳ１００１））を備え、前記駆動制御手段は、前記検知順序（例えば、動作モード４であれば遮光板７３０ｃ、７３０ａの順）に基づき前記複数の可動体を前記所定位置に制御することを特徴とする。
【０２５２】
この構成によれば、複数の可動体の検知順序が定められている動作パターンの決定により、１つの検知手段でも複数の可動体の位置を制御できる場合がある。
【０２５３】
また、本実施の形態によるパチンコ機１００は、前記可動体の動作パターンは、前記複数の可動体のうち一の可動体（例えば、左上扉２４６ａまたは左下扉２４６ｃ）のみ動作を行う第一の動作パターン（例えば、動作モード１（片方モード（上））、動作モード２（片方モード（下）））を含んで構成されており、前記駆動制御手段は、前記検知手段による前記被検知手段の検知を契機に前記第一の動作パターンで動作する前記可動体の前記所定位置までの動作量（例えば、残ステップデータ（左上扉２４６ａのみを動作させる動作モード１では５ステップ、左下扉２４６ｃのみを動作させる動作モード２では２１ステップ））を設定し、当該動作量に基づいて前記可動体を前記所定位置に制御することを特徴とする。
【０２５４】
この構成によれば、可動体が１つしか動作しない場合でも位置を検出できる場合がある。
【０２５５】
また本実施の形態によるパチンコ機１００は、前記可動体の動作パターンは、前記複数の可動体が相対的な位置関係を保持した状態で動作を行う第二の動作パターン（例えば、動作モード４（同期モード））を含んで構成されており、前記駆動制御手段は、前記動作パターン決定手段が前記第二の動作パターンを決定した場合には、前記検知手段による前記被検知手段（例えば、左下扉２４６ｃの遮光板７３０ｃ）の検知を契機に、前記複数の可動体における前記所定位置までの動作量となる第一の動作量（例えば、左上扉２４６ａおよび左下扉２４６ｃについての残ステップデータ（２１ステップ））を設定するとともに、当該第一の動作量と、前記検知順序により特定される次の被検知手段（例えば、左上扉２４６ａの遮光板７３０ａ）が前記検知手段に検知されるまでの動作量となる第二の動作量（例えば、１６ステップ（上記残ステップデータ（２１ステップ）と、遮光板７３０ａの検知が開始される左上扉２４６ａの位置における初期位置からのステップ数（５ステップ）との差））に基づいて複数の可動体を前記所定位置に制御する（例えば、残ステップデータが５のときに遮光板７３０ａが検知された場合には初期動作等を行わず処理を続行する）ことを特徴とする。
【０２５６】
この構成によれば、第一の動作量に基づいて可動体を所定位置に制御できる場合がある。さらに、第二の動作量に基づく動作時に次の被検知手段を検知することで複数の可動体が相対的な位置関係を保持して動作していることを確認できる場合がある。
【０２５７】
またこの構成において、前記駆動制御手段は、前記第一の動作量に基づいて、前記検知手段に検知された被検知手段（例えば、遮光板７３０ｃ）に対応する可動体（例えば、左下扉２４６ｃ）を所定位置に制御するとともに、前記第二の動作量に基づいて当該可動体と次に前記検知手段に検知される被検知手段（例えば、遮光板７３０ａ）に対応する可動体（例えば、左上扉２４６ａ）との相対的位置関係を確認可能に制御してなることを特徴とする。
【０２５８】
また本実施の形態によるパチンコ機１００は、前記第二の動作パターンでは、前記複数の可動体における動作の前端縁が連続する（例えば、左上扉２４６ａの右端辺２４７ａと左下扉２４６ｃの右端辺２４７ｃとが直線状に連続する）ことで前記相対的な位置関係が保持されることを特徴とする。
【０２５９】
この構成によれば、複数の可動体が相対的な位置関係を保持して動作可能であるため見栄えを向上できる場合がある。また変動終了後、複数の可動体が速やかに初期位置に戻ることができる場合がある。
【０２６０】
また本実施の形態によるパチンコ機１００は、前記駆動制御手段は、前記第二の動作量の駆動制御が終了した状態（例えば、残ステップデータが５の状態）で前記検知手段が被検知手段を検知しない場合には、当該被検知手段に特定される前記可動体（例えば、左上扉２４６ａの遮光板７３０ａを検知しない場合には左上扉２４６ａ）の補正動作制御（例えば、初期動作（上）処理（ステップＳ１６２７））を行うことを特徴とする。
【０２６１】
この構成によれば、仮想（予定）通りに可動体が動作しない場合には補正制御を行うことで位置を制御できる場合がある。
【０２６２】
また本実施の形態によるパチンコ機１００は、前記駆動制御手段は、前記第二の動作量の制御中に、前記検知手段が当該第二の動作量の制御終了時に検出されるべき被検知手段を検出した場合（例えば、ステップＳ１６１９で左上扉２４６ａの遮光板７３０ａを予定より早く検知した場合）には、検出した前記被検知手段に対応する可動体の前記所定位置までの動作量となる第三の動作量（例えば、左上扉２４６ａについての残ステップデータ（５ステップ））を設定し、当該第三の動作量に基づいて当該可動体を前記所定位置に補正動作制御することを特徴とする。
【０２６３】
この構成によれば、予定よりも早く次の可動体を検知した場合には、検知を契機に速やかに補正を行うことができる場合がある。ここで、上記第三の動作量には０が含まれる。
【０２６４】
また本実施の形態によるパチンコ機１００は、前記駆動制御手段は、前記第二の動作量の駆動制御を終了するまでの間、前記検知手段が被検知手段を検知しない場合には、被検知手段を検知するまで駆動制御を継続し、前記非検出手段の検出を契機に当該被検知手段に対応する可動体の前記第三の動作量を設定し、当該第三の動作量に基づいて当該可動体を前記所定位置に補正動作制御することを特徴とする。
【０２６５】
この構成によれば、次の可動体が検知されない場合は、速やかに検出を行った後、補正を行うことができる場合がある。またこの構成において、次の可動体が検知されない場合には、駆動制御を継続せずに電源投入時と同じ初期動作を行うようにしてもよい。
【０２６６】
また本実施の形態によるパチンコ機１００は、電源投入時において前記駆動制御手段は、前記複数の可動体を前記第一の動作量よりも大きくなる第四の動作量（例えば、５０ステップ）分、前記所定位置から離間する方向へ駆動制御した後、予め定めた順序で前記複数の可動体を前記所定位置に近づく方向へ制御し、前記被検知手段の検知毎に前記所定位置までの動作量を設定し、前記動作量に基づいて複数の可動体を前記所定位置に制御することを特徴とする。
【０２６７】
この構成によれば、第一の動作量よりも大きくなる第四の動作量分、所定位置から離間する方向へ可動体を駆動制御することで、可動体を所定位置側に移動制御したときに確実にすべての被検知手段を検知させることができる場合がある。
【０２６８】
また本実施の形態によるパチンコ機１００は、所定の演出動作を行う複数の可動体と、前記複数の可動体を動作させる駆動手段と、前記駆動手段を制御する駆動制御手段とを備えた遊技台であって、一の検知手段と複数の被検知手段とを備え、前記駆動制御手段は、前記一の検知手段による前記複数の被検知手段の検知に基づき前記可動体を所定位置に制御することを特徴とする。
【０２６９】
この構成によれば、大きい可動体であっても、複数の被検知手段によってより正確に位置を制御できる場合がある。このように本発明は、１つの可動体に複数の被検知手段を設けた場合にも適用できる。
【０２７０】
また本実施の形態によるパチンコ機１００は、前記複数の可動体における各々の前記被検知手段は、前記検知手段に非連続の状態で順次検出可能となるように配設してなることを特徴とする。例えば、左上扉２４６ａの遮光板７３０ａおよび左下扉２４６ｃの遮光板７３０ｃの左右方向における取付位置は重なっておらず、かつ５ステップ分のクリアランスが存在する。したがって、例えば左上扉２４６ａおよび左下扉２４６ｃが同期して動作する場合には、遮光板７３０ａおよび遮光板７３０ｃは光センサ７２０によって非連続に順次検出される。
【０２７１】
本発明は、遊技台としてパチンコ機１００を例に挙げたが、これに限るものではなく、スロットマシン、アレンジボール遊技機、じゃん球遊技機、スマートボール等に適用してもよい。
【符号の説明】
【０２７２】
１００  パチンコ機
２０８  装飾図柄表示装置
２０８ａ〜２０８ｃ  図柄表示領域
２４６  遮蔽装置
２４６ａ  左上扉
２４６ｂ  右上扉
２４６ｃ  左下扉
２４６ｄ  右下扉
３００  主制御部
４００  第１副制御部
５００  第２副制御部
５０２  モータドライバＩＣ
７２０、７２２  光センサ
７３０ａ、７３０ｂ、７３０ｃ、７３０ｄ  遮光板
【図１】
2012085741.tif 000003
【図２】
2012085741.tif 000004
【図３】
2012085741.tif 000005
【図４】
2012085741.tif 000006
【図５】
2012085741.tif 000007
【図６】
2012085741.tif 000008
【図７】
2012085741.tif 000009
【図８】
2012085741.tif 000010
【図９】
2012085741.tif 000011
【図１０】
2012085741.tif 000012
【図１１】
2012085741.tif 000013
【図１２】
2012085741.tif 000014
【図１３】
2012085741.tif 000015
【図１４】
2012085741.tif 000016
【図１５】
2012085741.tif 000017
【図１６】
2012085741.tif 000018
【図１７】
2012085741.tif 000019
【図１８】
2012085741.tif 000020
【図１９】
2012085741.tif 000021
【図２０】
2012085741.tif 000022
【図２１】
2012085741.tif 000023
【図２２】
2012085741.tif 000024
【図２３】
2012085741.tif 000025
【図２４】
2012085741.tif 000026
【図２５】
2012085741.tif 000027